(57)【特許請求の範囲】
【請求項１】
撮像素子と、
該撮像素子に接続され、電子部品が実装された回路基板と、
上記回路基板に形成され、複合信号ケーブルの少なくとも同軸線を含む複数の信号線が接続される複数の信号線接続部と、
上記同軸線の外部導体とグランド線とが結束されることにより形成される第１および第２のグランド信号線結束部と、
上記回路基板に形成され、上記第１のグランド信号線結束部が結束される上記グランド線が接続される第１のグランド信号線接続部と、
上記回路基板に形成され、上記第２のグランド信号線結束部が結束される上記グランド線が接続される第２のグランド信号線接続部と、
を備え、
上記第１および第２のグランド信号線結束部は、１つ以上の上記同軸線の上記外部導体と、上記グランド線であり上記複合信号ケーブルに含まれるグランド用単純線と、が結束されることにより形成され、
上記第１のグランド信号線接続部が上記回路基板の第１の面に形成され、
上記第２のグランド信号線接続部が上記回路基板の上記第１の面に相対する異なる第２の面に形成され、
上記第１のグランド信号線接続部および上記第２のグランド線信号接続部は、上記第１および第２のグランド信号線結束部の外径の和の半分より離間した位置であって、上記回路基板において、上記第１の面と上記第２の面における最も離れて対角離反する上記回路基板の側部近傍の位置に、上記第１および第２のグランド信号線結束部が干渉しないように形成されていることを特徴とする撮像装置。
【請求項２】
上記複数の信号線接続部は、上記第１の面に上記第１のグランド信号線接続部に並設し形成され上記撮像素子の駆動用の信号線が接続される第１の信号線接続部と、上記第２の面に上記第２のグランド信号線接続部と並設し形成され上記撮像素子の映像用の信号線が接続される第２の信号線接続部と、を有し、
上記第１のグランド信号線結束部は、上記撮像素子の駆動用同軸線の上記外部導線が結束され、上記第２のグランド信号線結束部は、上記撮像素子の映像用同軸線の上記外部導線が結束されることを特徴とする請求項１に記載の撮像装置。
【発明の詳細な説明】
【技術分野】
【０００１】
本発明は、高画素化、及びノイズ対策により画質向上を図った撮像装置、特に、電子内視鏡の先端部に搭載される撮像装置に関する。
【背景技術】
【０００２】
近年、工業用、及び医療用の内視鏡が広く用いられている。特に、医療用の内視鏡は、挿入部が体内深く挿入され病変部を観察したり、必要に応じて処置具が併用されたりすることで体内の検査、及び治療が行える。このような内視鏡の中には、挿入部の先端にＣＣＤ等の固体撮像素子を内蔵した撮像装置を有する電子内視鏡がある。
【０００３】
医療用の電子内視鏡は、挿入部の先端部が挿入の際、患者の苦痛を低減するためできる限り外径が小さい方が望ましい。そのため、このような細径とした電子内視鏡の先端部に内蔵される撮像装置では、ＣＣＤ、ＣＭＯＳ等の撮像素子と、回路基板とにより構成される撮像素子パッケージの小型化が求められている。
【０００４】
その一方、昨今では、撮像素子の高画素化、画質向上、及びノイズ対策のため、撮像素子パッケージに接続されるケーブルの数が増加している。そのため、撮像装置は、小型化と高画素化、及びノイズ対策を両立させ、画質向上を図ると、どうしても小型化した回路基板に多くのケーブルを接続する必要がある。このような構成により、電子内視鏡の組み立て時では、撮像装置へのケーブルの半田付作業の難易度が高くなってしまうという課題があった。
【０００５】
このような細径化した先端部に撮像装置を内蔵するための技術は、例えば、特許文献１〜４に開示されるように、種々の工夫がなされている。
【０００６】
具体的には、先ず、特許文献１には、小型であるにもかかわらず、半田付が行い易いように、固体撮像素子に取り付けた回路基板に階段状の段差を設けた電子内視鏡の先端部が開示されている。
【０００７】
次に、特許文献２には、フレキシブル基板を曲げることで、狭いスペースを有効利用する撮像装置が開示されている。また、特許文献２には、ノイズ対策のため、アナロググランドとデジタルグランドとを別々に設けた技術も開示されている。
【０００８】
そして、特許文献３には、複数のシールド線のシールドを束ねて纏め、回路基板の幅方向の中心線を挟んで、略対称の位置において回路基板に固着した電子内視鏡の信号ケーブル接続構造が開示されている。この電子内視鏡の信号ケーブル接続構造では、個々の細い信号線に強い張力が作用しないため、信号線、及び半田付部に耐久性を持たせた構成となっている。
【０００９】
最後に、特許文献４には、小型化のため複数の同軸線のシールド線を束ねて共通グランドパッドに接続した内視鏡用撮像素子組付け装置が開示されている。
【先行技術文献】
【特許文献】
【００１０】
【特許文献１】特開２００５−２７８７６０号公報
【特許文献２】特開平９−９０２４３号公報
【特許文献３】特開２００５−２３０４０４号公報
【特許文献４】特開２００１−９５７５８号公報
【発明の開示】
【発明が解決しようとする課題】
【００１１】
ところで、近年の電子内視鏡では、先端部の細径化に加え、画質向上が特に望まれている。しかしながら、上述の特許文献１に記載の電子内視鏡の先端部の技術では、電気的に独立したグランドがないため、現状より、さらに内視鏡画質の向上を目指しても限界がある。
【００１２】
また、画質の向上においては、上述の特許文献２に記載の撮像装置の技術ように、信号の種類毎に電気的に独立したグランドを設けることが有効となる。しかしながら、特許文献２の撮像装置は、全ての同軸線の芯線と、アナロググランドパッド、及びデジタルグランドパッドが基板上に並列に配置されている。
【００１３】
このような構成では、回路基板を小型化すると、多数のケーブルを回路基板へ接続する作業が非常に困難であり、事実上小型化には限界ある。すなわち、回路基板のケーブル接続部のそれぞれの幅が小型化されるため、半田作業などが非常に困難となるという問題が生じる。尚、特許文献４の内視鏡用撮像素子組付け装置にも、特許文献２の撮像装置と同様な問題が生じる。
【００１４】
また、特許文献３の電子内視鏡の信号ケーブル接続構造は、同軸線のシールドを２本に束ね、纏めている。しかしながら、特許文献３に記載の技術は、シールド線を束ねた結束部同士を真横に配置している。そのため、この結束部同士を短絡させないためには、基板の幅が大きくなり、その結果内視鏡の細径化を妨げるという問題がある。
【００１５】
そこで、本発明は、上記事情に鑑みてなされたものであり、高画素化、及びノイズ対策を両立させて画質向上を図り、且つ小型化で組立性の良い撮像装置を提供することを目的としている。
【課題を解決するための手段】
【００１６】
本発明の一態様の撮像装置は、撮像素子と、該撮像素子に接続され、電子部品が実装された回路基板と、上記回路基板に形成され、複合信号ケーブルの少なくとも同軸線を含む複数の信号線が接続される複数の信号線接続部と、上記同軸線の外部導体とグランド線とが結束されることにより形成される第１および第２のグランド信号線結束部と、上記回路基板に形成され、上記第１のグランド信号線結束部が結束される上記グランド線が接続される第１のグランド信号線接続部と、上記回路基板に形成され、上記第２のグランド信号線結束部が結束される上記グランド線が接続される第２のグランド信号線接続部と、を備え、上記第１および第２のグランド信号線結束部は、１つ以上の上記同軸線の上記外部導体と、上記グランド線であり上記複合信号ケーブルに含まれるグランド用単純線と、が結束されることにより形成され、上記第１のグランド信号線接続部が上記回路基板の第１の面に形成され、上記第１のグランド信号線接続部が上記回路基板の第１の面に形成され、上記第２のグランド信号線接続部が上記回路基板の上記第１の面に相対する異なる第２の面に形成され、上記第１のグランド信号線接続部および上記第２のグランド線信号接続部は、上記第１および第２のグランド信号線結束部の外径の和の半分より離間した位置であって、上記回路基板において、上記第１の面と上記第２の面における最も離れて対角離反する上記回路基板の側部近傍の位置に、上記第１および第２のグランド信号線結束部が干渉しないように形成されている。
【発明の効果】
【００１７】
本発明によれば、高画素化、及びノイズ対策を両立させて画質向上を図り、且つ小型で組立性の良い撮像装置を実現することができる。
【図面の簡単な説明】
【００１８】
【図１】本発明の第１の実施の形態に係る、内視鏡装置の全体構成を示す図
【図２】同、電子内視鏡の先端硬性部の内部構成を示す断面図
【図３】同、撮像装置の構成を示す断面図
【図４】同、複合信号ケーブルの構成を示す断面図
【図５】同、同軸線の構成を示す図
【図６】同、単純線の構成を示す図
【図７】同、撮像素子パッケージの構成を示す上面図
【図８】同、図７のＶＩＩＩ−ＶＩＩＩ線に沿って切断した撮像素子パッケージの断面図
【図９】同、撮像素子パッケージと複合信号ケーブルの接続状態を示す図
【図１０】同、変形例の複合信号ケーブルの構成を示す断面図
【図１１】同、図１０に対応し、駆動信号用同軸線のシールド線の内部導体と外部導体を撚り合わせる導体撚り合わせ部を示す図
【図１２】同、変形例の撮像素子パッケージの構成を示す上面図
【図１３】同、図１１のＸＩＩ−ＸＩＩ線に沿って切断した撮像素子パッケージの断面図
【図１４】同、図１１の撮像素子パッケージに設けられたリードピンに複合信号ケーブルの各素線を接続した状態を示す断面図
【図１５】本発明の第２の実施の形態に係る、撮像素子パッケージの構成を示す上面図
【図１６】同、図１５のＸＶＩ−ＸＶＩ線に沿って切断した撮像素子パッケージの構成を示す断面図
【図１７】同、撮像素子パッケージの構成を示す下面図
【図１８】同、撮像素子パッケージの基端面を示す平面図
【図１９】同、撮像素子パッケージと複合信号ケーブルの接続状態を示す上面図
【図２０】同、図１９の撮像素子パッケージと複合信号ケーブルの接続状態を示す一側面図
【図２１】同、撮像素子パッケージと複合信号ケーブルの接続状態を示す下面図
【図２２】同、図１９のＸＸＩＩ−ＸＸＩＩ線に沿って切断した断面図
【図２３】同、第１の変形例の撮像素子パッケージの構成を示す上面図
【図２４】同、図２３のＸＸＩＶ−ＸＸＩＶ線に沿った撮像素子パッケージの断面図
【図２５】同、撮像素子パッケージの構成を示す下面図
【図２６】同、第２の変形例の撮像素子パッケージの構成を示す上面図
【図２７】同、図２６のＸＸＶＩＩ−ＸＸＶＩＩ線に沿った撮像素子パッケージの断面図
【図２８】同、撮像素子パッケージの構成を示す下面図
【図２９】同、撮像素子パッケージと複合信号ケーブルの接続状態を示す上面図
【図３０】同、撮像素子パッケージと複合信号ケーブルの接続状態を示す断面図
【図３１】同、撮像素子パッケージと複合信号ケーブルの接続状態を示す下面図
【図３２】同、第３の変形例となるケーブル補強絶縁部材の構成を示す斜視図
【図３３】同、ケーブル補強絶縁部材の構成を示す断面図
【図３４】同、ケーブル補強絶縁部材が装着された撮像素子パッケージに複合信号ケーブルが接続された状態を示す側面図
【図３５】本発明の第３の実施の形態に係る第１の撮像素子の構成を示す上面図
【図３６】同、第１の撮像素子の構成を示す側面図
【図３７】同、第２の撮像素子の構成を示す上面図
【図３８】同、第２の撮像素子の構成を示す側面図
【図３９】同、積層基板の構成を示す上面図
【図４０】同、積層基板の構成を示す側面図
【図４１】同、積層基板の構成を示す下面図
【図４２】同、図３９の４ＸＩＩ−４ＸＩＩ線に沿って切断した積層基板の構成を示す断面図
【図４３】同、積層基板に複合信号ケーブルが電気的に接続された状態を示す上面図
【図４４】同、積層基板に複合信号ケーブルが電気的に接続された状態を示す側面図
【図４５】同、図４３の４ＸＶ−４ＸＶ線に沿って切断した断面図
【図４６】同、積層基板に小型な撮像素子が電気的に接続された状態を示す上面図
【図４７】同、積層基板に大型な撮像素子が電気的に接続された状態を示す上面図
【図４８】本発明の第４の実施の形態に係る大型の撮像素子が設けられた撮像素子パッケージの斜視図
【図４９】同、小型の撮像素子が設けられた撮像素子パッケージの斜視図
【図５０】同、ＦＰＣ基板を備えた変形例の撮像素子パッケージの斜視図
【図５１】本発明の第５の実施の形態に係る撮像素子パッケージの構成を示す上面図
【図５２】同、撮像素子パッケージの構成を示す側面図
【図５３】同、図５１の５ＶＩＩＩ−５ＶＩＩＩ線に沿って切断した積層基板の断面図
【図５４】同、撮像パッケージに複合信号ケーブルが接続された状態を示す上面図
【図５５】同、図５４の５ＸＶ―５ＸＶ線に沿って切断した撮像パッケージに複合信号ケーブルが接続された状態を示す断面図
【図５６】同、第１の変形例の撮像素子パッケージの構成を示す上面図
【図５７】同、第１の変形例の撮像素子パッケージの構成を示す側面図
【図５８】同、第１の変形例の撮像パッケージに複合信号ケーブルが接続された状態を示す側面図
【図５９】同、第２の変形例の撮像素子パッケージの構成を示す上面図
【図６０】本発明の第６の実施の形態の内視鏡装置の外観を示す斜視図。
【図６１】図６０の内視鏡装置における光源装置の内部構成を示すブロック構成図。
【図６２】図６１の光源装置内に配設される帯域切換フィルタを示す正面図。
【図６３】図６１の光源装置内に配設される回転フィルタ板を示す正面図。
【図６４】図６０の内視鏡装置の内視鏡の操作部の内部に設けられる撮像ユニットを取り出して示す要部拡大断面図。
【図６５】本発明の第７の実施の形態の内視鏡装置において、内視鏡の先端部近傍を拡大して示す要部拡大断面図。
【図６６】本発明の第９の実施の形態の内視鏡装置において、内視鏡の操作部の内部に配設される撮像ユニットを取り出して示す要部拡大断面図。
【図６７】本発明の第１０の実施の形態の内視鏡装置において、内視鏡の先端部近傍を拡大して示す要部拡大断面図。
【図６８】本発明の第１１の実施の形態の内視鏡装置における内視鏡の先端部の一部（照明光学系）を取り出して示し、内視鏡挿入部の軸方向に沿う面の要部拡大断面図。
【図６９】図６８の内視鏡の先端部近傍において、挿入部の軸方向に対して直交する面の縦断面図。
【発明を実施するための形態】
【００１９】
以下、図面を参照して本発明の実施の形態を説明する。尚、以下の実施の形態では、電子内視鏡を例に挙げて説明する。
【００２０】
（第１の実施の形態）
先ず、本発明の第１の実施の形態について以下に説明する。  
図１〜図１４は、本発明の第１の実施の形態に係り、図１は内視鏡装置の全体構成を示す図、図２は電子内視鏡の先端硬性部の内部構成を示す断面図、図３は撮像装置の構成を示す断面図、図４は複合信号ケーブルの構成を示す断面図、図５は同軸線の構成を示す図、図６は単純線の構成を示す図、図７は撮像素子パッケージの構成を示す上面図、図８は図７のＶＩＩＩ−ＶＩＩＩ線に沿って切断した撮像素子パッケージの断面図、図９は撮像素子パッケージと複合信号ケーブルの接続状態を示す図、図１０は変形例の複合信号ケーブルの構成を示す断面図、図１１は駆動信号用同軸線のシールド線の内部導体と外部導体を撚り合わせる導体撚り合わせ部を示す図、図１２は変形例の撮像素子パッケージの構成を示す上面図、図１３は図１１のＸＩＩ−ＸＩＩ線に沿って切断した撮像素子パッケージの断面図、図１４は撮像素子パッケージに設けられたリードピンに複合信号ケーブルの各素線を接続した状態を示す断面図である。
【００２１】
図１に示すように、内視鏡装置１は、電子内視鏡（以下、単に内視鏡という）２と、光源装置３と、ビデオプロセッサ４と、モニタ５と、によって構成されている。  
本実施の形態の内視鏡２は、挿入部１１の先端に配設された先端硬性部１５に内蔵される後述の撮像装置を有している。この撮像装置は、上記先端硬性部１５に配設される対物光学系により結像された光学像を光電変換するＣＣＤ、ＣＭＯＳ等の撮像素子を有している。
【００２２】
光源装置３は、ハロゲンランプなどが内蔵され、このハロゲンランプからの光を接続された内視鏡２へ照明光として供給するための装置である。  
また、ビデオプロセッサ４は、上述の撮像素子に電源を供給し、撮像素子から光電変換された映像信号が入力される装置である。すなわち、ビデオプロセッサ４は、撮像素子で撮像された映像信号の信号処理、撮像素子のゲインの調整などの制御、及び駆動を行う駆動信号の出力を行う。
【００２３】
モニタ５は、接続されるビデオプロセッサ４から出力された映像信号を受けて内視鏡画像を表示するためのものである。
【００２４】
さらに、本実施の形態の内視鏡装置１の構成について、以下に詳しく説明する。  
本実施の形態の内視鏡２は、細長な挿入部１１、及びこの挿入部１１の基端側に操作部１２を備えている。そして、内視鏡２は、操作部１２の側部より、後述するライトガイド２８等（図２参照）の照明光伝達手段等が内挿されたユニバーサルコード１３が延出している。
【００２５】
この内視鏡２は、このユニバーサルコード１３の端部に設けられたライトガイドコネクタ１３ａを介して光源装置３と着脱自在に接続される。また、内視鏡２は、ライトガイドコネクタ１３ａの側部より延出する信号ケーブル１４の端部に設けられた電気コネクタ１４ａを介してビデオプロセッサ４と着脱自在に接続される。尚、ビデオプロセッサ４は、図示しないＶＴＲデッキ、ビデオプリンタ、ビデオディスク等の周辺機器が接続自在である。
【００２６】
挿入部１１は、先端に設けられた先端硬性部１５と、この先端硬性部１５の基端側に設けられ、複数の湾曲駒にて構成した湾曲自在の湾曲部１６と、この湾曲部１６の基端側に設けられた長尺で可撓性を有する可撓管部１７と、を有している。
【００２７】
操作部１２には、図示しない湾曲操作レバーが設けられている。この湾曲操作レバーを回動操作することにより、内視鏡２は、湾曲部１６を４方向、或いは２方向へ湾曲することができるようになっている。
【００２８】
また、操作部１２は、先端近傍の側部に、生検鉗子、レーザープローブ等の処置具を挿入する処置具挿入口１８が設けられている。処置具挿入口１８に処置具が挿入された内視鏡２は、内部に配設された後述する処置具挿通用チャンネルを経て処置具の先端処置部を突出させ、例えば、処置具の１つである生検鉗子により患部組織を採取する生検等を行うことができる。
【００２９】
次に、内視鏡２の先端硬性部１５について、図２を用いて、以下に説明する。  
挿入部１１の先端硬性部１５は、先端キャップ２２が外嵌する先端部材２１を有している。この先端部材２１には、透孔２５が形成されており、この透孔２５には被写体像を撮像する撮像装置３４が挿嵌されている。
【００３０】
また、先端部材２１には、透孔２７が形成されており、この透孔２７には挿入部１１内に挿通されているライトガイド２８の先端側が固定され、このライトガイド２８で伝送された光源装置３からの照明光を出射する照明光学系２９が配設されている。このライトガイド２８は、被覆チューブ１００に被覆され、更に保護チューブ１０１に被覆され、この保護チューブ１０１の先端側が糸１０２にて固定されている。
【００３１】
図１に示した光源装置３内に設けられている図示しないランプから供給された照明光は、ライトガイドコネクタ１３ａ、ユニバーサルコード１３、内視鏡２の操作部１２、及び挿入部１１内を挿通する上述のライトガイド２８を介して先端硬性部１５まで導かれる。先端硬性部１５まで伝送された照明光は、先端硬性部１５の先端面から照明光学系２９を経て被写体を照明する。
【００３２】
照明光により照明されて得られる被写体像は、先端硬性部１５に設けた撮像装置３４で撮像され電気信号（映像信号）に変換された後、この電気信号をビデオプロセッサ４に伝達される。ビデオプロセッサ４は、入力された電気信号からビデオ信号に信号処理した後、このビデオ信号をモニタ５に出力して、モニタ５の画面上に観察画像が表示される。
【００３３】
尚、先端部材２１には、透孔１０４が形成されており、この透孔１０４に接続パイプ１０５、処置具挿通チューブ１０６から形成される処置具挿通用チャンネル１０３が設けられている。処置具挿通チューブ１０６の先端側は、接続パイプ１０５へ接続固定するため、糸１０７が巻回されている。
【００３４】
また、先端部材２１は、先端キャップ２２が被覆していない外周中途部から基端外周側がチューブ状の湾曲ゴム２３に被覆されている。この湾曲ゴム２３の先端外周部分には、糸９０が巻回され、接着剤２４が塗布されている。これにより、先端部材２１と湾曲ゴム２３とが固定されている。
【００３５】
次に、内視鏡２に内蔵される撮像装置３４の詳細構成について図３を用いて、以下に説明する。  
図３に示すように、撮像装置３４は、対物光学系として対物レンズ群３１を有する対物光学ユニット３２と、撮像素子パッケージ３３と、を有する撮像装置３４とを備えて構成されている。
【００３６】
対物光学ユニット３２は、被写体像が撮像素子パッケージ３３の後述する撮像素子４１の受光部４１ａに結像するよう対物光学系である対物レンズ群３１を対物レンズ枠３２ａの所定位置に配設している。また、撮像装置３４は、撮像素子枠３４ａの先端側に対物光学ユニット３２の対物レンズ枠３２ａの後端側を内嵌固定していると共に、後端側に撮像素子パッケージ３３を有している。また、撮像素子枠３４ａの後端側には、補強枠２１８が外嵌固定されている。そして、補強枠２１８と撮像素子パッケージ３３の間には、接着剤２０４が充填されている。
【００３７】
撮像素子パッケージ３３は、挿入部１１を挿通している複合信号ケーブル３５の先端側に亘って熱収縮性チューブ３６により密着固定されている。複合信号ケーブル３５を挿通している単純線、又は同軸線は、図１に示したユニバーサルコード１３、及び信号ケーブル１４、電気コネクタ１４ａを介し、ビデオプロセッサ４と電気的に接続される。
【００３８】
ここで、撮像装置３４と電気的に接続される複合信号ケーブル３５について、図４〜図６を用いて、以下に説明する。  
図４に示すように、本実施の形態の複合信号ケーブル３５は、３本の同軸線１０８ａ、１０８ｂ、４本の単純線１１４ａ，１１４ｂ，１１４ｃ、及び介在１２０が挿通されたケーブルである。
【００３９】
これら３本の同軸線は、２本の駆動信号用同軸線１０８ａ、及び１本の映像信号用同軸線１０８ｂである。これら同軸線１０８ａ，１０８ｂは、図５に示すように、複数の素線が捩り合わされた内部導体１０９、及び内部導体１０９を覆う内部絶縁被覆１１０（ａ，ｂ）から構成される芯線１１１（ａ，ｂ）と、芯線１１１（ａ，ｂ）を覆うシールド線である外部導体１１２（ａ，ｂ）と、外部導体１１２（ａ，ｂ）を覆う外部絶縁被覆１１３と、から構成されている。
【００４０】
また、４本の単純線は、１本の駆動信号回路用グランド用単純線１１４ａ、１本の映像出力回路用グランド用単純線１１４ｂ、及び２本の電源用単純線１１４ｃである。これら単純線１１４ａ〜１１４ｃは、図６に示すように、導体１１５と、この導体１１５（ａ，ｂ，ｃ）を覆う絶縁被覆１１６（ａ，ｂ，ｃ）と、から構成されている。
【００４１】
図４に戻って、複合信号ケーブル３５は、これらの同軸線１０８、及び単純線１１４をケブラー等の繊維より形成される介在１２０を中心として撚り束ね、その外周を螺旋状に被覆するＰＴＦＥ（四フッ化エチレン樹脂）等から形成される絶縁テープ１１７を有している。更に、その絶縁テープ１１７の外周には、銀メッキ銅合金製の総合シールド１１８が形成され、そして総合シールド１１８を覆うＰＦＡ（フッ素樹脂）から形成される外皮１１９により複合信号ケーブル３５の外形が構成されている。
【００４２】
なお、ケーブルを束ねる際には、例えば、図４に示したとおり、映像出力回路用グランド用単純線１１４ｂの隣には、少なくとも１本の映像信号用同軸線１０８ｂが配置されている。また、駆動信号回路用グランド用単純線１１４ａの隣には、少なくとも１本の駆動信号用同軸線１０８ａが配置されている。
【００４３】
次に、撮像素子パッケージ３３の構成について、図７、及び図８を用いて、以下に説明する。  
図７、及び図８に示すように、撮像素子パッケージ３３は、対物光学系により結像された光学像が入射される前方側から順に、カバーガラス４２と、撮像素子４１と、第１の回路基板４４ａと、第２の回路基板４４ｂと、から主に構成されている。
【００４４】
カバーガラス４２と、撮像素子４１とは、面接触するように紫外線硬化型接着剤等により接着固定されている。この撮像素子４１は、第１の回路基板４４ａの前方上面の縁辺部分に並設された複数のリード接続部２０７に対応した複数のリード線５３を介して、電気的に接続されている。
【００４５】
第１の回路基板上には、駆動信号ケーブル接続部４９ａ、映像信号ケーブル接続部４９ｂ、電源ケーブル接続部２００が設けられている。電源ケーブル接続部２００の裏側の面には、コンデンサ、ベアチップの撮像信号出力用のトランジスタIＣ（Ｉｎｔｅｇｒａｔｅｄ  Ｃｉｒｃｕｉｔｓ）等の電子部品４８ａが接続されている。
【００４６】
これらの電子部品４８ａは、第２の回路基板４４ｂにも接続されている。つまり、第１の回路基板４４ａと第２の回路基板４４ｂは、所定の距離だけ離間して対向しており、電子部品４８ａを介して電気的に接続されている。尚、第２の基板４４ｂは、後方部分が第１の基板４４ａの後端部よりも、基端側へ延出している。つまり、第２の基板４４ｂの基端部分が第１の基板４４ａの最基端よりも後方へ延びている。
【００４７】
また、第１の回路基板４４ａと第２の回路基板４４ｂには、コンデンサ、ベアチップの撮像信号出力用のトランジスタIＣ（Ｉｎｔｅｇｒａｔｅｄ  Ｃｉｒｃｕｉｔｓ）等の電子部品４８ｂが接続されている。
【００４８】
第１の回路基板４４ａ、第２の回路基板４４ｂ、電子部品４８ａ、及び電子部品４８ｂによって、主に撮像素子４１を駆動する駆動信号回路と、撮像された像を電子信号（映像信号）に変換する映像出力回路が夫々構成されている。
【００４９】
第２の回路基板４４ｂは、後方上面の縁辺部分に、駆動信号回路用グランド信号線接続部２０１ａ、及び映像出力回路用グランド信号線接続部２０１ｂが並設されている。これら、駆動信号回路用グランド信号線接続部２０１ａ、及び映像出力回路用グランド信号線接続部２０１ｂは、第１の回路基板４４ａの最基端よりも後方へ延出している第２の回路基板４４ｂの基端部分に配設されている。
【００５０】
また、第１の回路基板４４ａと第２の回路基板４４ｂの間には、電子部品を覆うように形成された絶縁性封止樹脂部４６が形成されている。
【００５１】
以上のように構成された撮像素子パッケージ３３に複合信号ケーブル３５が接続される状態について、主に、図９を用いて、以下に説明する。  
先ず、映像出力回路用グランド用単純線１１４ｂと映像信号用同軸線１０８ｂの外部導体１１２ｂを電気的に接続した映像信号回路用外部導体結束部２０２ｂを形成する方法について説明する。
【００５２】
図４に示した、複合信号ケーブル３５の外皮１１９が剥脱される。次に、この剥脱された外皮１１９の端部と略同一位置にて、総合シールド１１８、及び絶縁テープ１１７がカットされる。また、この外皮１１９のカットされた近傍の先端外周部分が糸１０２によって、縛られ、接着剤で固定される。
【００５３】
次に、映像出力回路用グランド用単純線１１４ｂの絶縁被覆１１６が複合信号ケーブル３５端部近傍で剥脱される。また、このとき、映像信号用同軸線１０８ｂの外部絶縁被覆１１３ｂも剥脱される。
【００５４】
そして、図９に示すように、外部導体１１２ｂ（図５参照）が撚り合わされ、映像出力回路用グランド用単純線１１４ｂの導体１１５ｂに巻きつけられた後、半田等を用いて固着し、映像信号回路用外部導体結束部２０２ｂが形成される。尚、映像出力回路用グランド用単純線１１４ｂの導体１１５ｂは、第２の回路基板４４ｂに設けられた映像出力回路用グランド信号線接続部２０１ｂに接続される。
【００５５】
ここで、芯線１１１ｂは、図９に示すように、映像信号ケーブル接続部４９ｂ近傍で内部絶縁被覆１１０ｂが剥脱され内部導体１０９ａが映像信号ケーブル接続部４９ｂに半田等で接続されている。
【００５６】
次に、駆動信号回路用グランド用単純線１１４ａと駆動信号用同軸線１０８ａの外部導体１１２ａを電気的に接続した駆動信号用外部導体結束部２０２ａを形成する方法について説明する。
【００５７】
駆動信号回路用グランド用単純線１１４ａの絶縁被覆１１６は、映像信号回路用外部導体結束部２０２ｂより、挿入部１１の挿入方向である長軸線Ｃに沿った前方側である撮像素子４１側へずらされた位置で、外部絶縁被覆１１３ａが剥脱される。
【００５８】
その近傍で２本の駆動信号用同軸線１０８ａの外部絶縁被覆１１３ａが剥脱され、夫々の外部導体１１２ａ同士が撚り合わされ、駆動信号回路用グランド用単純線１１４ａの導体１１５ａに巻きつけ半田等を用いて固着され、駆動信号用外部導体結束部２０２ａが形成される。さらに、駆動信号回路用グランド用単純線１１４ａの導体１１５ａは、第２の回路基板４４ｂに設けられた駆動信号回路用グランド信号線接続部２０１ａに接続される。
【００５９】
ここで、駆動信号用同軸線１０８ａの外部導体１１２ａは、駆動信号回路用グランド信号線接続部２０１ａに接続されており、夫々の芯線１１１ａが外部導体１１２ａ（図４参照）によりシールドされた構成となっている。これらの芯線１１１ａは、駆動信号ケーブル接続部４９ａ近傍で内部絶縁被覆１１０ａが剥脱され、内部導体１０９ａが駆動信号ケーブル接続部４９ａに半田等で接続されている。また、２本の駆動信号回路用グランド用単純線１１４ｃは、電源ケーブル接続部２００の近傍で剥脱され半田等で接続されている。
【００６０】
以上に説明したように、撮像素子パッケージ３３は、映像信号回路用外部導体結束部２０２ｂと、駆動信号用外部導体結束部２０２ａとが挿入部１１の挿入方向に対応した長軸線Ｃ方向に互い違いにズラされて配置される。
【００６１】
詳述すると、駆動信号用外部導体結束部２０２ａは、映像信号回路用外部導体結束部２０２ｂに対して挿入部の挿入方向と略平行な長軸線Ｃに沿った方向の前方側の撮像素子４１側にある。言い換えると、駆動信号用外部導体結束部２０２ａは、映像信号回路用外部導体結束部２０２ｂに対して、長軸線Ｃに沿った方向の後方にズラされた位置に配置されている。
【００６２】
つまり、本実施の形態の撮像素子パッケージ３３に接続される複合信号ケーブル３５は、駆動信号用外部導体結束部２０２ａと映像信号回路用外部導体結束部２０２ｂとが短絡しない、電気的に独立した配置構成となっている。尚、駆動信号用外部導体結束部２０２ａと映像信号回路用外部導体結束部２０２ｂとが形成される順序が逆でも良い。
【００６３】
以上のように、撮像素子パッケージ３３と複合信号ケーブル３５が電気的に接続され、全ての半田付が終了後、各ケーブル、半田付面周囲には、接着剤２０４が充填され、その周囲に熱収縮性チューブ３６が被せられ、図３に示したように、熱収縮される。
【００６４】
このように、撮像素子パッケージ３３の全体と、複合信号ケーブル３５の先端部分には、接着剤２０４が充填され固着されているため、撮像装置３４の組立て後に外力が加わっても、半田の剥離、外部導体結束部２０２ａと外部導体結束部２０２ｂとが短絡することがない、電気的に独立した構成となる。
【００６５】
次に、このように構成された撮像装置３４が先端硬性部１５に配された内視鏡２を含む内視鏡装置１の作用について、以下に説明する。
【００６６】
術者は、内視鏡装置１の挿入部１１を患部に挿入し観察をおこなう。この際、光源装置３を発した光は、ライトガイド２８、照明光学系２９を介して観察部に照射される。照明光から反射した光の一部は、対物レンズ群３１を経由して撮像素子４１上に結像される。
【００６７】
そして、ビデオプロセッサ４は、撮像素子パッケージ３３に対して、複合信号ケーブル３５を介して電源を供給し、また駆動信号を送信する。駆動信号回路は、ビデオプロセッサ４から受信した駆動信号をもとに、撮像素子４１を駆動する駆動信号を生成し送信する。
【００６８】
また、電源を供給された撮像素子４１上に結像された光学像は、撮像素子４１と映像出力回路により映像信号化され、ビデオプロセッサ４に送信される。この際、駆動信号を伝送する駆動信号用同軸線１０８ａの外部導体１１２ａと映像信号用同軸線１０８ｂの外部導体１１２ｂは、夫々別々のグランドに接続されているため、夫々の芯線で伝送される信号へのクロストークを抑制できる。
【００６９】
その結果、撮像装置３４は、高画質な画像を得ることができる。また、挿入部１１の挿入方向と略平行な長軸線Ｃ方向に沿った、前後異なる位置に結束部２０２ａ，２０２ｂを配置することで撮像装置３４の幅方向を小型化することができる。
【００７０】
また、この撮像装置３４は、接着剤２０４が充填されているため、外力が加わっても、半田の剥離、及び外部導体結束部の２０２ａと外部導体結束部２０２ｂとが短絡せず耐久性が向上する。
【００７１】
また、駆動信号回路用グランド信号線接続部２０１ａ、映像出力回路用グランド信号線接続部２０１ｂは、第２の回路基板４４ｂに設けられている。一方、信号ケーブル接続部４９ａ，４９ｂと電源ケーブル接続部２００は第１の回路基板４４ａに設けられている。このため、これらの全ての接続部を１枚の基板に並列に配置した場合に対して、回路基板の幅が同じであれば、接続部同士の離間距離を十分保つことができる。従って、本実施の形態の撮像装置３４の組み付けにおいては、半田等による電気的な接続時に接続部同士が短絡し難く、作業性が向上する。
【００７２】
また、本実施の形態では、複合信号ケーブル３５と撮像素子パッケージ３３との接続において、映像出力回路用グランド用単純線１１４ｂと映像信号用同軸線１０８ｂとが隣接して配置されているため、映像信号用同軸線１０８ｂの外部導体１１２ｂを映像出力回路用グランド用単純線１１４ｂの導体１１５ｂに巻きつけて半田付を行う作業性が向上される。
【００７３】
同様に、複合信号ケーブル３５と撮像素子パッケージ３３との接続において、駆動信号回路用グランド用単純線１１４ａと駆動信号用同軸線１０８ａとが隣接して配置されているため、駆動信号用同軸線１０８ａの外部導体１１２ａを駆動信号回路用グランド用単純線１１４ａの導体１１５ａに巻きつけて半田付を行う作業性も向上される。
【００７４】
本実施の形態では、映像信号は、１本の同軸線によって伝送されているが、勿論、複数の線が用いられている場合も同様な効果を得ることができる。一方、駆動信号用同軸線は、２本であるが、勿論、１本の場合でも３本以上の場合でも同様な効果を得ることができる。
【００７５】
また、複合信号ケーブル３５は、駆動信号回路用グランド用単純線１１４ａの両側に駆動信号用同軸線１０８ａを設けても良い。この場合、２本の駆動信号用同軸線１０８ａがどちらも隣接した位置に配置されるため、外部導体結束部２０２ａを形成し易く、作業性を向上することができる。
【００７６】
さらに、本実施の形態では、第２の回路基板４４ｂのグランド信号線接続部２０１ａ,２０１ｂに、グランド用単純線１１４ａ,１１４ｂを接続している。しかしながら、この接続方法に関しては、これに限定することなく、結束部２０２ａ,２０２ｂにグランド用のジャンパ線を接続し、そのジャンパ線をグランド信号線接続部２０１ａ，２０１ｂに接続するようにしても良い。これは、ジャンパ線をグランド用単純線１１４ａ，１１４ｂより細いものにすれば、半田付する接続部の幅を小さく出来るため基板自体を小型化することができる。
【００７７】
また、複合信号ケーブル３５は、図１０に示すように、全て同軸線で構成されていても良い。この際、駆動信号用同軸線１０８は、電源、グランド線等のように、シールドが不要で、且つ、単純線よりインピーダンスが低いことが求められる場合には、図１１に示すように、内部導体１０９と外部導体１１２をより合わせる導体撚り合わせ部２２９をケーブルの両端に設け内部導体１０９と外部導体１１２を電気的に接続すれば良い。
【００７８】
このように、全て同軸線で複合信号ケーブルを構成した場合、ケーブル断面を考えた際に、ケーブル中心を通る全ての面に関しては、対称形とすることができる。これにより、複合信号ケーブル３５は、全体的な可撓性、曲げ耐性、及び捻り耐性が向上する。
【００７９】
また、複合信号ケーブル３５には、上述したように、グランド用単純線（１１４ａ,１１４ｂ）が存在するが、これらが無い場合も考えられる。この場合、結束部（２０２ａ,２０２ｂ）には、同軸線のシールド線同士を撚り合わせ結束させているだけでも良い。
【００８０】
ところで、ケーブル接続部（４９ａ、４９ｂ等）において、複合信号ケーブル３５の各信号線との接続強度を確保するためには、十分な接続面積を確保する必要がある。一方、撮像素子パッケージ３３の幅を狭くするには、第１、及び第２の回路基板４４ａ，４４ｂを狭くし、さらにケーブル接続部の幅も狭くする必要がある。
【００８１】
このため、十分な接続面積を確保するためには、ケーブル接続部を軸線Ｃ方向に沿って長くする必要がある。このときの問題は、撮像素子パッケージ３３の全長が長くなることである。
【００８２】
このような問題を解決するため、図１２〜図１４に示すように、第１、及び第２の回路基板４４ａ，４４ｂに断面略Ｌ字状となるようにリードピン折り曲げ部２３３を有するリードピン２３２を設けても良い。このような構成とすることで、導体（１０９、１１５）を折り曲げ部２３３に沿ってリードピン２３２上で十分な長さで半田により接続することができる。
【００８３】
その結果、ケーブル接続部は、軸線Ｃ方向に沿って長尺とすることなく、十分な信号線との接続強度を確保することができる。言い換えると、撮像素子パッケージ３３は、幅を小さくできると共に、全長が短尺となり、且つ、複合信号ケーブル３５の各信号線とケーブル接続部との接続強度を両立させることができる。
【００８４】
（第２の実施の形態）
次に、本発明の第２の実施の形態について以下に説明する。  
図１５から図２２は、本発明の第２の実施の形態に係り、図１５は撮像素子パッケージの構成を示す上面図、図１６は図１５のＸＶＩ−ＸＶＩ線に沿って切断した撮像素子パッケージの構成を示す断面図、図１７は撮像素子パッケージの構成を示す下面図、図１８は撮像素子パッケージの基端面を示す平面図、図１９は撮像素子パッケージと複合信号ケーブルの接続状態を示す上面図、図２０は図１９の撮像素子パッケージと複合信号ケーブルの接続状態を示す一側面図、図２１は撮像素子パッケージと複合信号ケーブルの接続状態を示す下面図、図２２は図１９のＸＸＩＩ−ＸＸＩＩ線に沿って切断した断面図である。尚、以下の説明において、上述した第１の実施の形態の内視鏡装置１と同一の構成について同じ符号を用い、それら構成の詳細な説明を省略する。
【００８５】
図１５〜図１８に示すように、本実施の形態の撮像素子パッケージ３３は、従来から用いられている回路基板となる積層基板２０５を有している。また、本実施の形態では、リード線５３が積層基板２０５の前方側の上面に設けられたリード接続部２０７上に接続されている。
【００８６】
積層基板２０５は、上下の中途部分に両端が上下に突起する凸部２０５ａ，２０５ｂによって、上下に離反する２つの凹部２０５ｃが形成されている。これら２つの凹部２０５ｃの内部には、図１６に示すように、コンデンサ、ベアチップの撮像信号出力用のトランジスタＩＣ等の電子部品２１２が絶縁性封止樹脂部４６に覆われた状態に埋め込まれている。これら電子部品２１２は、主に撮像素子４１を駆動する駆動信号回路と、撮像された像を電気信号（映像信号）に変換する映像出力回路がそれぞれ構成されている。
【００８７】
積層基板２０５は、前方側に対向して設けられた撮像素子４１に対して反対側となる後方に延出する端部２０６を有し、この端部２０６の上下の２面を形成する、２つの凸部２０５ａよりも内部方向へ切り欠かれる２つの段差２０８が上下に形成されている。これら凸部２０５ｂに対する段差２０８の高さ寸法は、接続される信号ケーブル外径寸法と同等以上である。
【００８８】
この段差２０８の一方の面となる上面には、映像出力回路用グランド信号線接続部２０１ｂ、映像信号ケーブル接続部４９ｂ、及び電源ケーブル接続部２００が設けられている（図１５参照）。その逆側の他方の面となる下面には、駆動信号回路用グランド信号線接続部２０１ａと駆動信号ケーブル接続部４９ａが設けられている（図１７参照）。
【００８９】
このとき、駆動信号回路用グランド信号線接続部２０１ａと、映像出力回路用グランド信号線接続部２０１ｂとは、図１８に示すとおり、所定の高さ寸法Ｖを有する端部２０６の夫々の上下面を形成している段差２０８において、横方向に所定の距離Ｈだけ離間して、対角となる位置に配置されている。
【００９０】
次に、以上のように構成された撮像素子パッケージ３３に複合信号ケーブル３５を接続する方法について、図１９〜図２１を用いて、以下に説明する。  
先ず、第１の実施の形態と同様に、複合信号ケーブル３５の外皮１１９が剥脱される。次に、この剥脱された外皮１１９の端部と略同一位置にて総合シールド１１８、及び絶縁テープ１１７がカットされる。また、カットされた近傍が糸１０２によって、外皮１１９が縛られ、接着剤により固着される。
【００９１】
そして、映像出力回路用グランド用単純線１１４ｂの絶縁被覆１１６ｂは、複合信号ケーブル３５端部近傍で剥脱される。さらに、映像信号用同軸線１０８ｂの外部絶縁被覆１１３ｂが剥脱される。
【００９２】
次に、外部導体１１２ｂが撚り合わされ、映像出力回路用グランド用単純線１１４ｂの導体１１５ｂに巻きつけられた後、半田等を用いて固着されて、映像信号回路用外部導体結束部２０２ｂが形成される（図１９参照）。尚、映像出力回路用グランド用単純線１１４ｂの導体１１５ｂは、図２０に示す、積層基板２０５の端部２０６において上面側の段差２０８に設けられた映像出力回路用グランド信号線接続部２０１ｂに接続される。
【００９３】
つまり、映像信号用同軸線の外部導体１１２ｂは、映像出力回路用グランドに接続されており、芯線１１１ｂがシールドされた構成となっている。この芯線１１１ｂは、図１９に示したように、積層基板２０５の端部２０６において上面側の段差２０８に設けられた映像信号ケーブル接続部４９ｂ近傍で内部絶縁被覆１１０が剥脱され、内部導体１０９が映像信号ケーブル接続部４９ｂに半田等により電気的に接続される。
【００９４】
また、駆動信号回路用グランド用単純線１１４ａの絶縁被覆１１６ａも、映像出力回路用グランド用単純線１１４ｂと同様に複合信号ケーブル３５端部近傍で剥脱される。その絶縁被覆１１６ａが剥脱された近傍で２本の駆動信号用同軸線１０８ａの外部絶縁被覆１１３ｂが剥脱され、夫々の外部導体１１２ａ同士が撚り合わされ、駆動信号回路用グランド用単純線１１４ａの導体１１５ａに巻きつけられた後、半田等を用いて固着されて、駆動信号用外部導体結束部２０２ａが形成される。
【００９５】
さらに、駆動信号回路用グランド用単純線１１４ａの導体１１５ａは、図２０に示す、積層基板２０５の端部２０６において下面側の段差２０８に設けられた駆動信号回路用グランド信号線接続部２０１ａに接続される。ここで、駆動信号用同軸線の外部導体１１５ａは、駆動信号回路用グランド信号線接続部２０１ａに接続されており、夫々の芯線１１１ａがシールドされた構成となっている。これらの芯線１１１ａは、図２１に示すように、積層基板２０５の端部２０６において下面側の段差２０８に設けられた駆動信号ケーブル接続部４９ａ近傍で内部絶縁被覆１１０ａが剥脱され、内部導体１０９ａが駆動信号ケーブル接続部４９ａに半田等によって電気的に接続される。
【００９６】
また、２本の電源用単純線１１４ｃは、積層基板２０５の端部２０６において上面側の段差２０８に設けられた電源ケーブル接続部２００近傍で剥脱され、夫々が電源ケーブル接続部２００に半田等によって電気的に接続されている（図１９参照）。
【００９７】
次に、以上のように、撮像素子パッケージ３３と複合信号ケーブル３５とが接続された状態における、映像信号回路用外部導体結束部２０２ｂ、及び駆動信号用外部導体結束部２０２ａの位置関係について、図２２を用いて、以下に説明する。  
図２２に示すように、２点鎖線で夫々示す、駆動信号用外部導体結束部２０２ａと映像信号回路用外部導体結束部２０２ｂは、積層基板２０５の端部２０６の中心に対して対角上に配置されており、互いが短絡することなく電気的に独立した構成となっている。
【００９８】
具体的には、先ず、駆動信号回路用グランド信号線接続部２０１ａが設けられた面（下面側の段差２０８の表面）と、映像出力回路用グランド信号線接続部２０１ｂが設けられた面（上面側の段差２０８の表面）との面間の所定の距離をＶとする。
【００９９】
そして、駆動信号回路用グランド信号線接続部２０１ａの端部と、映像出力回路用グランド信号線接続部２０１ｂの端部の上記各接続部２０１ａ，２０１ｂが設けられた各上下面と平行な方向の所定の離間距離をＨとする。  
また、外部導体結束部２０２ａの長軸方向に略直交した方向の断面に対する半径をｒ１、及び映像信号回路用外部導体結束部２０２ｂに略直交した方向の断面に対する半径をｒ２とする。
【０１００】
本実施の形態では、駆動信号用外部導体結束部２０２ａと映像信号回路用外部導体結束部２０２ｂは、短絡防止のため、夫々が接触することがない、少なくとも夫々の半径の和である距離（ｒ１＋ｒ２）よりも離れた位置で形成される。
【０１０１】
つまり、積層基板２０５の端部２０６、上記各接続部２０１ａ，２０１ｂの配設位置、及び各外部導体結束部２０２ａ，２０２ｂの上記半径の関係は、下記の式を満たす関係となっている。  
Ｈ２＋Ｖ２＞（ｒ１＋ｒ２）２・・・（式）
尚、本実施の形態では、駆動信号用外部導体結束部２０２ａと映像信号回路用外部導体結束部２０２ｂは、挿入方向の長軸線（第１の実施の形態の図９にて示した軸線Ｃ）に沿った方向に対して略直交する方向の、略同じ位置に並設されて形成されている（図２０参照）。
【０１０２】
次に、このように構成された撮像素子パッケージ３３を備えた撮像装置３４が先端硬性部１５に配された内視鏡２を含む内視鏡装置１は、以下のような効果を奏する。尚、本実施の形態でも、本実施の形態の内視鏡装置１を用いた術者による被検体の観察自体に関しては、第１の実施の形態と同様であるため、それらの説明を省略する。  
本実施の形態の撮像装置３４は、映像信号回路用外部導体結束部２０２ｂと、駆動信号用外部導体結束部２０２ａが積層基板２０５の対角上に配設された駆動信号回路用グランド信号線接続部２０１ａと、映像出力回路用グランド信号線接続部２０１ｂとに夫々電気的に接続された構成により、十分離れた位置に配置されているため、互いの短絡が防止されている。
【０１０３】
換言すると、映像信号回路用外部導体結束部２０２ｂ、及び駆動信号用外部導体結束部２０２ａは、積層基板２０５の後方の端部２０６の相対する面の最も離れた対角離反した側部近傍の位置に配置されているため、互いの短絡が防止されている。
【０１０４】
また、本実施の形態の撮像装置３４は、撮像素子パッケージ３３の積層基板２０５の後方の端部２０６の上下方向に段差２０８を設けたため、複合信号ケーブル３５の各信号線が積層基板２０５の最大外形部分よりも突出することなく接続される。このため、撮像装置３４は、挿入部１１に組み込む等の組立作業時に、複合信号ケーブル３５が半田等によって電気的に接続された各ケーブル接合部が他の部品と接触し難く、これにより破損し難くなるため、組立作業性が向上する。
【０１０５】
さらに、撮像装置３４は、外部導体結束部２０２ａ、及び外部導体結束部２０２ｂが長軸方向（挿入方向の軸）に直交する方向の略同じ位置に配置できるため、撮像素子パッケージ３３の全長が第１の実施の形態よりも、さらに短くなり、長軸方向の全長を短尺化することができる。
【０１０６】
このため、挿入部１１の先端硬性部１５も、全長をより短くすることができる。このため、内視鏡２は、挿入部１１の挿入に伴った、患者の苦痛を軽減すると共に、また挿入部１１の挿入操作性を向上することができる。
【０１０７】
また、内視鏡２は、細径化のために、内部の非常に狭いスペースに、内蔵部品が配置されている。このため、撮像装置３４を内視鏡２に組み付ける際、一時的に、他の内蔵部品に撮像装置３４が当接する可能性がある。
【０１０８】
このときに、撮像装置３４のケーブル接合部、或いはケーブルを他の内蔵部品に当接させてしまい、破損させてしまう場合がある。そのため、撮像装置３４を内視鏡２に組み付ける作業者は、十分注意して作業する必要があり、非常に作業性が悪かった。
【０１０９】
しかしながら、本実施の形態の撮像装置３４は、撮像素子パッケージ３３の積層基板２０５に段差２０８を設けて、この段差２０８にケーブル接合部を設けることによって、ケーブル接合部、或いはケーブル（複合信号ケーブル３５の同軸線１０８、単純線１１４など）を、積層基板２０５の最大外形部より内側に配置できる。そのため、本実施の形態の撮像装置３４は、内視鏡２への組立時に、ケーブル接合部分の破損を避けることができるため、組立作業性が向上する。
【０１１０】
また、撮像素子パッケージ３３に複合信号ケーブル３５を接続するとき、外部導体結束部（２０２ａ, ２０２ｂ）を直接グランド信号線接続部（２０１ａ,２０１ｂ）に直接接続しても良い。この場合、外部導体結束部（２０２ａ, ２０２ｂ）より、撮像素子４１側に単純線１１４（ａ，ｂ）が必要ないため、撮像素子パッケージ３３の全長を短くすることができる。
【０１１１】
（第１の変形例）
次に、本発明の第２の実施の形態に係る第１の変形例について、図２３〜図２５を用いて、以下に説明する。  
図２３〜図２５は、本実施の形態の第１の変形例に係り、図２３は撮像素子パッケージの構成を示す上面図、図２４は図２３のＸＸＩＶ−ＸＸＩＶ線に沿った撮像素子パッケージの断面図、図２５は撮像素子パッケージの構成を示す下面図である。
【０１１２】
本変形例の撮像素子パッケージ３３は、図２３〜図２５に示すように、積層基板２０５の上下中央部に形成された凹部２１０ａ、２１０ｂに様々な電子部品２１２が設けられている。また、撮像素子パッケージ３３は、これらの電子部品２１２に加えて、チップコンデンサ２０９が積層基板２０５の上部側に形成された凹部２０５ａに配置され、積層基板２０５と電気的に接続されている。
【０１１３】
各凹部２１０ａ，２１０ｂには、絶縁性封止樹脂部４６ａ, ４６ｂが充填されている。各凹部２１０ａ，２１０ｂに配設された電子部品２１２に関しては、全て、絶縁性封止樹脂部４６ａ，４６ｂにより完全に埋もれている。その一方で、凹部２１０ａに配設されたチップコンデンサ２０９のみは、上端部が露出した構成となっている。
【０１１４】
このチップコンデンサ２０９の露出した上端面には、電源ケーブル接続部２００が設けられている。すなわち、電源ケーブル接続部２００は、このチップコンデンサ２０９を介して、複合信号ケーブル３５の各回路の電源線と電気的に接続される。
【０１１５】
これにより、本変形例では、段差２０８に設けられた複数のケーブル接続部の数が片面あたり最大３本とすることができる。一方、上述した本実施の形態では、段差２０８を形成する端部２０６の上下面において、片面あたり、最大４本のケーブルを接続する必要がある。つまり、例えば、上述の第２の実施の形態と本変形例における積層基板２０５の幅が同じである場合、配線されるケーブルの間隔が本変形例の方が広い構成となる。
【０１１６】
すなわち、上述した、撮像素子パッケージ３３は、積層基板２０６の後方にある端部２０６に全てのケーブル接続部４９ａ，４９ｂ，２００，２０１ａ、２０１ｂを設けていた。
【０１１７】
これに対し、本変形例では、積層基板２０５の端部２０６に設けられている複数のケーブル接続部４９ａ，４９ｂ，２００，２０１ａ，２０１ｂのうち、電源ケーブル接続部２００がチップコンデンサ２０９上に配置されているため、積層基板２０５の端部２０６に設けられる各ケーブル接続部４９ａ，４９ｂ，２０１ａ，２０１ｂの配置スペースに余裕があるため、ケーブル接続作業性、及び非短絡性が向上する。
【０１１８】
本変形例では、２０９をチップコンデンサである例を開示したが、この電子部品はチップ抵抗やIＣ等でも同じ効果を得る。また、接続するケーブルに関しても本変形例では、電源用単純線１１４（ａ，ｂ）をチップコンデンサ２０９に接続した構成としているが、これに限定することなく、映像用信号線、駆動信号用線、各種のグランド線をチップコンデンサ２０９に接続しても良い。
【０１１９】
また、本変形例の撮像装置３４は、各種ケーブルの半田付作業時に、複数の電子部品２１２が絶縁性封止樹脂部４６ａ, ４６ｂで封止されているため、互い、及びその他の電子部品との短絡が防止され、組立作業性がよく、さらに優れた耐久性を備える構成とすることができる。
【０１２０】
（第２の変形例）
次に、本発明の第２の実施の形態に係る第２の変形例について、図２６〜図３１を用いて、以下に説明する。  
図２６〜図３１は、本実施の形態の第２の変形例に係り、図２６は撮像素子パッケージの構成を示す上面図、図２７は図２６のＸＸＶＩＩ−ＸＸＶＩＩ線に沿った撮像素子パッケージの断面図、図２８は撮像素子パッケージの構成を示す下面図、図２９は撮像素子パッケージと複合信号ケーブルの接続状態を示す上面図、図３０は撮像素子パッケージと複合信号ケーブルの接続状態を示す断面図、図３１は撮像素子パッケージと複合信号ケーブルの接続状態を示す下面図である。
【０１２１】
図２６〜図２８に示すように、本変形例の撮像素子パッケージ３３は、積層基板２０５に上述した端部２０６よりさらに後方へ所定の長さで延出した第２の端部２１１が設けられている。この第２の端部２１１は、端部（第１の端部）２０６の上下面を形成する段差２０８よりもさらに内側へ厚さが減少した段差２１１ａによって上下面が形成されている。
【０１２２】
この第２の端部２１１の一面、図２８に示す、ここでは下面には、凹部２１１ｂが形成され、この凹部２１１ｂ内に電子部品２１２が配置されている。そして、この凹部２１１ｂ内には、電子部品２１２の周囲を覆うように、絶縁性封止樹脂部４６が充填されている。
【０１２３】
第２の端部２１１は、絶縁性封止樹脂部４６以外の部分も、図示しないがセラミック基板などの絶縁性を備えた部材のみが表面に露出している構成となっている。つまり、第２の端部２１１の表面は、全て絶縁された構成となっている。各種ケーブル接続部４９ａ，４９ｂ，２００，２０１ａ，２０１ｂは、上述と同様に端部２０６側に設けられている。
【０１２４】
以上のように構成された、本変形例の撮像素子パッケージ３３に複合信号ケーブル３５が接続された状態について、図２９〜図３１を用いて説明する。
【０１２５】
尚、複合信号ケーブル３５の各同軸線、及び単純線は、上述したように、端部２０６に配設された各ケーブル接続部に半田等によって電気的に接続される。このとき、駆動信号用外部導体結束部２０２ａと映像信号回路用外部導体結束部２０２ｂは、絶縁材料である第２の端部２１１を間に挟んだ形で配置されている（図３０参照）。
【０１２６】
つまり、図２９に示すように、映像信号回路用外部導体結束部２０２ｂは、第２の端部２１１の上面に沿った位置に形成されている。その一方で、図３１に示すように、駆動信号用外部導体結束部２０２ａは、第２の端部２１１の下面に沿った位置に形成されている。
【０１２７】
これにより、本変形例の撮像装置３４は、駆動信号用外部導体結束部２０２ａと映像信号回路用外部導体結束部２０２ｂとが確実に絶縁性の第２の端部２１１によって接触することなく離間され、短絡しない構成となっている。尚、端部２１１の表面に関しては、単に絶縁性を備えていれば良く、例えば、ポリイミドテープのみを挟むだけでも良い。
【０１２８】
以上のように構成された本実施の形態の撮像装置３４は、駆動信号用外部導体結束部２０２ａと映像信号回路用外部導体結束部２０２ｂの間に絶縁された部材である第２の端部２１１が挟まれた構成であるため短絡が防止されている。その結果、撮像装置３４は、組立時に、作業者が短絡を気にする必要がないため、組立性が非常に向上する。
【０１２９】
（第３の変形例）
次に、本発明の第２の実施の形態に係る第３の変形例について、図３２〜図３４を用いて、以下に説明する。  
図３２〜図３４は、本実施の形態の第３の変形例に係り、図３２はケーブル補強絶縁部材の構成を示す斜視図、図３３はケーブル補強絶縁部材の構成を示す断面図、図３４はケーブル補強絶縁部材が装着された撮像素子パッケージに複合信号ケーブルが接続された状態を示す側面図である。
【０１３０】
本変形例では、図３２、及び図３３に示す、撮像素子パッケージ３３に複合信号ケーブル３５を接続する際に装着される略筒状のケーブル補強絶縁部材２２４が用いられる。
【０１３１】
このケーブル補強絶縁部材２２４は、一端側に外向フランジ２２６ａを備えたパイプ２２６と、外向フランジ２２６ａ側のパイプ２２６の先端面にて前方へ延出した立方形状の絶縁性突起部材２２５と、を有している。尚、パイプ２２６と絶縁性突起部材２２５は、図３３に示すように、一体的な部品でも良いし、別体としても良い。
【０１３２】
このケーブル補強絶縁部材２２４は、少なくとも、絶縁性突起部材２２５の部分が樹脂、ＰＥＥＫ材等の絶縁性材料から形成されるか、表面に絶縁性皮膜加工が施されている。また、ケーブル補強絶縁部材２２４には、複合信号ケーブル３５を通す、ケーブル挿通口２２７ａ,２２７ｂ, ２２７ｃが設けられている。詳しくは、２つのケーブル挿通口２２７ａ，２２７ｂは、パイプ２２６の前方側となる一端開口が絶縁性突起部材２２５により分けられた開口であり、ケーブル挿通口２２７ｃはパイプ２２７の後方側となる他端の開口である。
【０１３３】
次に、このケーブル補強絶縁部材２２４が撮像素子パッケージ３３に複合信号ケーブル３５を接続する際に装着された状態について、図３４を用いて、以下に説明する。  
ケーブル補強絶縁部材２２４は、ケーブル挿通口２２７ｃに複合信号ケーブル３５の先端部分が挿通される。このとき、複合信号ケーブル３５は、撮像素子パッケージ３３と接続される前に、ケーブル補強絶縁部材２２４に挿通される。
【０１３４】
そして、上述した各実施の形態と同様にして、撮像素子パッケージ３３に複合信号ケーブル３５が電気的に接続される。このとき、駆動信号用外部導体結束部２０２ａを形成する各種ケーブルと、映像信号回路用外部導体結束部２０２ｂを形成する各種ケーブルと、がケーブル補強絶縁部材２２４の前方の２つのケーブル挿通口２２７ａ，２２７ｂから夫々別々に導出される。
【０１３５】
そして、駆動信号用外部導体結束部２０２ａ、及び映像信号回路用外部導体結束部２０２ｂは、図３４に示すように、ケーブル補強絶縁部材２２４の絶縁性突起部材２２５を挟んだ位置で形成され、お互いが確実に絶縁された構成となっている。
【０１３６】
本変形例も、第２の変形例と同様に、駆動信号用外部導体結束部２０２ａと映像信号回路用外部導体結束部２０２ｂとが絶縁された部材である絶縁性突起部材２２５が挟まれた状態であるため、夫々が接触することが防止され、短絡防止の構成となっている。その結果、第２の変形例と同様に、本変形例の撮像装置３４も、組立時に、作業者が駆動信号用外部導体結束部２０２ａと映像信号回路用外部導体結束部２０２ｂとの短絡を気にする必要がないため、組立性が非常に向上する。
【０１３７】
（第３の実施の形態）
次に、本発明の第３の実施の形態について、以下に説明する。  
図３５から図４７は、本発明の第３の実施の形態に係り、図３５は第１の撮像素子の構成を示す上面図、図３６は第１の撮像素子の構成を示す側面図、図３７は第２の撮像素子の構成を示す上面図、図３８は第２の撮像素子の構成を示す側面図、図３９は積層基板の構成を示す上面図、図４０は積層基板の構成を示す側面図、図４１は積層基板の構成を示す下面図、図４２は図３９の４ＸＩＩ−４ＸＩＩ線に沿って切断した積層基板の構成を示す断面図、図４３は積層基板に複合信号ケーブルが電気的に接続された状態を示す上面図、図４４は積層基板に複合信号ケーブルが電気的に接続された状態を示す側面図、図４５は図４３の４ＸＶ−４ＸＶ線に沿って切断した断面図、図４６は積層基板に第１の撮像素子が電気的に接続された状態を示す上面図、図４７は積層基板に第２の撮像素子が電気的に接続された状態を示す上面図である。
【０１３８】
である。尚、以下の説明においても、上述した第１、及び第２の実施の形態の内視鏡装置１と同一の構成について同じ符号を用い、それら構成の詳細な説明を省略する。
【０１３９】
ところで、内視鏡用の撮像素子は、通常、数種類の大きさのものがラインナップされている。それぞれの撮像素子は、画素数などが異なるため、駆動信号、映像出力信号、電源線等の数が異なることが多い。それらのラインナップの中から、各内視鏡の目的にあった撮像素子を選定し、撮像装置に組み込み搭載している。撮像装置は、前述のように、撮像素子の他に、回路基板、及びケーブルから構成されている。これらのうち、少なくとも回路基板とケーブルを共通化することで生産性を向上させることができる。
【０１４０】
そこで、本実施の形態では、例えば、画素数などにより、図３５〜図３８に示すような、大きさの異なる撮像素子４１ｂ，４１ｃを共通の積層基板２０５に目的に合うものを撮像装置３４の撮像素子パッケージ３３として構成させる例である。
【０１４１】
図３５、及び図３６に示す第１の撮像素子４１ｂは、小型撮像素子である。この第１の撮像素子４１ｂは、図３７、及び図３８に示す、大型の第２の撮像素子４１ｃよりも画像が劣るが、外径が小型となるように構成されている。
【０１４２】
この第１の撮像素子４１ｂは、リード線５３を４本有し、これらリード線５３によって、電気的に接続される積層基板２０５に対して駆動信号、映像信号、及び電源の授受が行われる。
【０１４３】
一方、上述の第２の撮像素子４１ｃは、外形が大きいが画素数が多く画質が良くなるように構成されたものである。この大型の第２の撮像素子４１ｃは、リード線５３を６本有し、これらリード線５３によって、電気的に接続される積層基板２０５に対して駆動信号、映像信号、及び電源の供給が行われる。なお、これら撮像素子４１ｂ，４１ｃのリード線５３間のピッチＰは、略同一に設定されている。
【０１４４】
次に、各撮像素子４１ｂ，４１ｃと電気的に接続可能な共通な回路基板である積層基板２０５の説明を図３９〜図４２を用いて、以下に説明する。  
本実施の形態の積層基板２０５は、後方へ延設された端部２０６の一面である上面の略中央から長軸方向に沿って突出した突起部２１５を有している。
【０１４５】
また、この端部２０６の上面には、電源ケーブル接続部２００、映像出力回路用グランド信号線接続部２０１ｂ、映像信号ケーブル接続部４９ｂが配置されている。その上面の逆面である他面となる、端部２０６の下面には、駆動信号ケーブル接続部４９ａと、駆動信号回路用グランド信号線接続部２０１ａが配置されている。
【０１４６】
また、突起部２１５の両側面には、電源ケーブル接続部２００と映像信号ケーブル接続部４９ｂが設けられている。また、積層基板２０５の上下中央部分に形成された２つの凹部２０５ｃには、電子部品２１２が接続されており、電子部品の周囲は絶縁性封止樹脂部４６により埋められている。これらの電子部品２１２により、撮像素子を駆動する駆動信号回路、映像信号を処理する映像出力回路が構成されている。
【０１４７】
また、下面側の凹部２０５ｃには、撮像素子切換回路２１７も配置されている。この撮像素子切換回路２１７は、接続される撮像素子４１ｂ，４１ｃに合わせて、駆動信号回路、映像出力回路の動作を切り替える回路であり、組立時に図示しないディップスイッチを切り換えることで動作内容を変更する回路である。
【０１４８】
積層基板２０５には、撮像素子（４１ｂ，４１ｃ）と電気的に接続する６つのリード接続部２０７が設けられている。これらリード接続部２０７の配設間隔は、小型な第１の撮像素子４１ｂと、大型な第２の撮像素子４１ｃの夫々のリード線５３間のピッチＰに同一となるように設定されている。
【０１４９】
尚、図４３、及び図４４に示す、本実施の形態の複合信号ケーブル２１６は、上述した複合信号ケーブル３５と略同一の構成であるが、ケーブルを構成する同軸線の数が異なる。具体的には、映像信号用同軸線１０８ｂが２本に増え、電源用単純線１１４ｃが３本に増えている。つまり、本実施の形態の複合信号ケーブル２１６は、複合同軸線と単純線が合計９本から構成されている。
【０１５０】
以上のように構成された本実施の形態の積層基板２０５、複合信号ケーブル２１６、及び撮像素子（４１ｂ，４１ｃ）の電気的に接続される状態について、図４３〜図４７を用いて、以下に説明する。  
先ず、共通複合信号ケーブル２１６の外皮１１９（図４参照）が剥脱される。次に、この剥脱された外皮１１９の端部と略同一位置にて総合シールド１１８、及び絶縁テープ１１７がカットされる。また、このカットされた近傍において、糸１０２にて外皮１１９が縛られ、接着剤で固着される。
【０１５１】
次に、映像出力回路用グランド用単純線１１４ｂの絶縁被覆１１６が複合信号ケーブル２１６端部近傍で剥脱される。また、映像信号用同軸線１０８ｂの外部絶縁被覆１１３ｂも剥脱される。
【０１５２】
そして、外部導体１１２ｂが撚り合わされ、この外部導体１１２ｂが映像出力回路用グランド用単純線１１４ｂの導体１１５ｂに巻きつけられた後、半田等を用いて固着され、映像信号回路用外部導体結束部２０２ｂが形成される。そして、映像出力回路用グランド用単純線１１４ｂの導体１１５ｂは、映像出力回路用グランド信号線接続部２０１ｂに接続される。
【０１５３】
ここで、映像信号用同軸線の外部導体１１２ｂは、映像出力回路用グランドに接続されており、芯線１１１ｂは、シールドされた構成となっている。この芯線１１１ｂは、映像信号ケーブル接続部４９ｂ近傍で内部絶縁被覆１１０が剥脱され内部導体１０９ａが映像信号ケーブル接続部４９ｂに半田等で接続される（以上、図４３、及び図４５参照）。
【０１５４】
また、駆動信号回路用グランド用単純線１１４ａの絶縁被覆１１６も、映像出力回路用グランド用単純線１１４ｂと同様に複合信号ケーブル３５端部近傍で剥脱される。その近傍にて、２本の駆動信号用同軸線１０８ａの外部絶縁被覆１１３ｂが剥脱され、夫々の外部導体１１２ａ同士が撚り合わされ、駆動信号回路用グランド用単純線１１４ａの導体１１５ａとも束ねられる。
【０１５５】
本実施の形態では、ここに、短絡線であるジャンパ線２１３に巻きつけ半田等で固着し、駆動信号用外部導体結束部２０２ａを形成する。続いて、ジャンパ線のもう一方の端部が駆動信号回路用グランド信号線接続部２０１ａに接続される。
【０１５６】
ここで、駆動信号用同軸線の外部導体１１２ｂは、駆動信号回路用グランドに接続されており、夫々の芯線１１１ａは、シールドされた構成となっている。これらの芯線１１１ａは、駆動信号ケーブル接続部４９ａ近傍で内部絶縁被覆１１０が剥脱され、内部導体１０９ａが映像信号ケーブル接続部４９ｂに半田等で接続される。
【０１５７】
また、２本の電源ケーブル用単純線１１４ｃは、電源ケーブル接続部２００近傍で剥脱され半田等で接続される。尚、外部導体結束部２０２ａと外部導体結束部２０２ｂは、第２の実施の形態と同様に対角上に配置されており、互いに短絡しておらず電気的に独立した構成となっている（以上、図４４、及び図４５参照）。
【０１５８】
ここで、複合信号ケーブル２６１が接続された積層基板２０５に小型な第１の撮像素子４１ｂとの電気的な接続おいては、図４６に示すように、６箇所のリード接続部２０７のうち中央の４箇所と、夫々対応する４つの撮像素子リード線５３が半田等によって接続される。また、撮像素子切換え回路２１７のディップスイッチ（不図示）は、小型撮像素子に切り換えられる。
【０１５９】
一方、複合信号ケーブル２６１が接続された積層基板２０５に大型な第２の撮像素子４１ｃと接続する際には、図４７に示すように、６箇所のリード接続部２０７と、夫々対応する６つの撮像素子リード線５３が半田等によって接続される。また、撮像素子切換え回路２１７のディップスイッチ（不図示）は、大型な撮像素子４１ｃに切り換えられる。
【０１６０】
以上のように構成された本実施の形態の撮像装置３４は、撮像素子切換え回路２１７のディップスイッチに基づき、接続されている撮像素子（４１ｂ，４１ｃ）に対応した駆動信号にて撮像素子（４１ｂ，４１ｃ）を駆動して、同様に映像信号を処理して、映像信号をビデオプロセッサ４に伝送する。
【０１６１】
以上説明した、本実施の形態の撮像装置３４は、撮像素子（４１ｂ，４１ｃ）の種類が異なっても、共通の積層基板２０５と、共通の複合信号ケーブル２１６を用いることができるため、生産性を効率化することができる。
【０１６２】
また、本実施の形態では、映像信号ケーブル接続部４９ｂと、電源ケーブル接続部２００と、を突起部２１５の側面に設けている。このため、積層基板２０５の基板幅を増大することなく、接続されるケーブルの空間距離を離すことができる。つまり、積層基盤２０５の幅をおさえ、撮像装置３４の幅を増大することなく、より多くのケーブルを接続することができる。
【０１６３】
（第４の実施の形態）
次に、本発明の第４の実施の形態について、以下に説明する。  
図４８から図５０は、本発明の第４の実施の形態に係り、図４８は大型の撮像素子が設けられた撮像素子パッケージの斜視図、図４９は小型の撮像素子が設けられた撮像素子パッケージの斜視図、図５０はＦＰＣ基板を備えた変形例の撮像素子パッケージの斜視図である。尚、以下の説明においても、上述した第１〜第３の実施の形態の内視鏡装置１と同一の構成について同じ符号を用い、それら構成の詳細な説明を省略する。
【０１６４】
先ず、大型の撮像素子４１ｃを備えた撮像素子パッケージ３３の構成について説明する。  
図４８に示すように、大型の撮像素子４１ｃの受光部側の面には、この受光面を覆うように大型な第１のカバーガラス４２ｃが光学接着剤などで固定されている。大型な撮像素子４１ｃからは、図示しないリードにより、積層基板２０５ｃに電気的に接続されている。
【０１６５】
この積層基板２０５ｃには、電子部品２１２が実装されており、これら電子部品２１２によって、駆動信号処理回路、映像信号処理回路等が構成される。この積層基板２０５ｃの基端上面部にはＦＰＣリード接続部２０７ａがピッチＰ１の間隔で縁辺に沿って並設されている。また、積層基板２０５ｃの基端上面部には、外部導体接続部の接続部４９ｃも設けられている。
【０１６６】
ＦＰＣ基板２１９の一方の端部には、積層基板のＦＰＣリード接続部２０７ａに接続する、ピン２３４が、ピッチＰ１の間隔で設けられている。これらピンは信号ケーブル１１４の芯線より細い。また、ＦＰＣ基板２１９のもう一方の端部には、信号ケーブル接続部４９がピッチＰ２の間隔で設けられている。
【０１６７】
この際ピッチＰ１とピッチＰ２は、下記の式のような関係となっている。
【０１６８】
Ｐ１＜Ｐ２・・・（式）
また、ＦＰＣ基板２１９は、前方から見て右側部に切り欠き部２２３が設けられている。尚、ピン２３４と信号ケーブル接続部４９は、図示せぬ配線パターンで接続されている。
【０１６９】
以上のように構成された、本実施の形態の撮像素子パッケージ３３と、複合信号ケーブル３５と、の電気的な接続について、以下に説明する。
【０１７０】
先ず、複合信号ケーブル３５は、外皮１１９がＦＰＣ基板２１９の近傍で剥脱される。次に、この剥脱された外皮１１９の端部と略同一位置にて、絶縁テープ１１７がカットされる。
【０１７１】
そして、総合シールド１１８は、束ねられた後、積層基板２０５ｃとＦＰＣ基板２１９を電気的に接続する際に、積層基板２０５ｃの上面部に配設された接続部４９ｃに半田等により接続される。また、複合信号ケーブル３５を構成する信号ケーブル１１４は、夫々信号ケーブル接続部４９の近傍で剥脱され、その内部導体１０９が信号ケーブル接続部４９に接続される。
【０１７２】
ＦＰＣリード接続部２０７ａには、ＦＰＣ基板２１９のピン２３４がピッチＰ１の間隔に、半田等で接続する。また、束ねられていた総合シールド１１８は、切り欠き部２２３の隙間を通し、総合シールド接続部４９ｃに半田等により接続される。
【０１７３】
次に、小型の撮像素子４１ｂを備えた撮像素子パッケージ３３の構成について説明する。  
図４９に示すように、上述の大型な撮像素子４１ｃと同様に小型な撮像素子４１ｂの受光部側の面には、この受光面を覆うように小型な第１のカバーガラス４２ｂが光学接着剤などで固定されている。
【０１７４】
撮像素子４１ｃからは、図示しないリードにより（第１の実施の形態〜第３の実施の形態と同様）、積層基板２０５ｂに電気的に接続されている。この積層基板２０５ｂにも、電子部品２１２が実装されており、これら電子部品２１２により駆動信号処理回路、映像信号処理回路などを構成されている。
【０１７５】
積層基板２０５ｂの基端上面部には、３つのＦＰＣリード接続部２０７ａがピッチＰ１の間隔で設けられている。しかしながら、この積層基板２０５ｂは、前方側から見て、最も右側に配置される破線部２０７ｂ位置に上述の大型な撮像素子４１ｃが接続される積層基板２０５に設けられているＦＰＣリード接続部２０７ａが設けられていない。また、総合シールド接続部４９ｃは、上記破線部２０７ｂより小型な撮像素子４１ｂ側である前方側に設けられている。
【０１７６】
ここでのＦＰＣ基板２１９は、図４８に示したもと同様であるが、折り曲げ部２２２で基板が下方へ折り曲げられていることのみが異なる。この折り曲げ部２２２は、組立作業時に折り曲げられる。
【０１７７】
複合信号ケーブル３５とＦＰＣ基板２１９の接続は、図４８に示すものと同一である。つまり、本実施の形態においては、撮像素子４１ｂ，４１ｃの大きさに関係なく、複合信号ケーブル３５とＦＰＣ基板２１９が共通部品となっている。
【０１７８】
この小型な撮像素子４１ｂが接続される積層基板２０５ｂとＦＰＣ基板２１９との接続において、先ず、ＦＰＣ基板２１９が先に折り曲げ部２２２に沿って折り曲げられる。そして、ＦＰＣリード接続部２０７ａには、ＰＦＣ基板２１９のピン２３４がピッチＰ１の間隔に、破線部２０７ｂを除き、半田等で接続する。
【０１７９】
つまり、ＦＰＣ基板２１９の４つのピン２３４のうち、前方から見て最も右側のピン２３４は、積層基板２０５ｂと電気的な接続が行われない。ここでは、小型な撮像素子４１ｂに必要な電気信号を授受するために必要なピン２３４のみ、積層基板２０５ｂと電気的に接続するのみで良い。こうして、積層基板２０５にＦＰＣ基板２１９が電気的に接続される。
【０１８０】
また、束ねられていた総合シールド１１８は、積層基板２０５ｂとＦＰＣ基板２１９を接続する際に、総合シールド接続部４９ｃに半田等により接続される。
【０１８１】
以上のように構成された、本実施の形態の撮像装置３４は、ピッチＰ１幅に限界があったＦＰＣリード接続部２０７ａに合わせてＦＰＣ基板２１９のピン２３４を電気的に接続できるようにして、ＦＰＣ基板２１９に複合信号ケーブル３５の各ケーブルを半田付している。つまり、ＦＰＣ基板２１９を用いることで、幅が狭い積層基板２０５（ｂ，ｃ）に多数の配線することが可能となる。
【０１８２】
すなわち、例えば、積層基板２０５（ｂ，ｃ）の端部に４本のケーブルと総合シールドを並列で直接接続することが不可能であった（ピッチＰ２が、ケーブル接続時の限界サイズとする）ものを、ＦＰＣ基板２１９を介して接続することで、積層基板２０５（ｂ，ｃ）の基板の幅を増大することなく多くのケーブルを配線することができるように構成している。
【０１８３】
また、撮像装置３４は、異なる大きさの撮像素子４１ｂ，４１ｃに対しても、複合信号ケーブル３５，ＦＰＣ基板２１９を共通化できるため生産性が向上する。
【０１８４】
さらに、撮像装置３４（特に、内視鏡用）では、出来るだけ外形が小さいことが求められており、特に小型な撮像素子４１ｂを用いた場合、受光部からの他の部品の外形方向の張り出しはできるだけ小さくすることが求められる。このような事情に鑑みて、本実施の形態の撮像装置３４では、ＦＰＣ基板２１９に折り曲げ部２２２を設けられることで外形方向への張り出しを最小限に抑えられる。
【０１８５】
また、上述した、本実施の形態では、積層基板２０５（ｂ，ｃ）とＦＰＣ基板２１９との電気的な接続をピンとＦＰＣリード接続部２０７ａを半田付により行っている。しかしながら、これら積層基板２０５とＦＰＣ基板２１９との接続を、図５０に示すように、ＦＰＣ接続用のコネクタ２３０を用いて良い。この場合、コネクタ２３０の積層基板２０５への配置に自由度が増すため、コネクタ２３０を撮像素子４１（ｂ，ｃ）に可能な限り近づけることで、撮像装置３４の硬質長を短縮することができる。
【０１８６】
（第５の実施の形態）
次に、本発明の第５の実施の形態について、以下に説明する。  
図５１から図５９は、本発明の第５の実施の形態に係り、図５１は撮像素子パッケージの構成を示す上面図、図５２は撮像素子パッケージの構成を示す側面図、図５３は図５１の５ＶＩＩＩ−５ＶＩＩＩ線に沿って切断した積層基板の断面図、図５４は撮像パッケージに複合信号ケーブルが接続された状態を示す上面図、図５５は図５４の５ＸＶ―５ＸＶ線に沿って切断した撮像パッケージに複合信号ケーブルが接続された状態を示す断面図、図５６は第１の変形例の撮像素子パッケージの構成を示す上面図、図５７は第１の変形例の撮像素子パッケージの構成を示す側面図、図５８は第１の変形例の撮像パッケージに複合信号ケーブルが接続された状態を示す側面図、図５９は第２の変形例の撮像素子パッケージの構成を示す上面図である。
【０１８７】
この積層基板２０５は、図５２に示すように、上述した実施の形態と同様に中央上下部分に形成された凹部２０５ｃに複数の電子部品２１２が夫々配置されており、これら電子部品２１２の周囲が絶縁性封止樹脂部４６により封止されている。
【０１８８】
なお、積層基板２０５の後方上面部分には、図５２に示すように、所謂、階段状の２段階で下るように形成された２つのケーブル接続端部２３０，２３１が設けられている。前方側に位置するケーブル接続端部２３０の上面部２３０ａには、複数、５つのケーブル接続部４９ａ，４９ｂ，２００が設けられている。
【０１８９】
一方で、後方側に位置するケーブル接続端部２３１の上面部２３１ａには、図５３に示すように、駆動信号回路用グランド信号線接続部２０１ａと映像出力回路用グランド信号線接続部２０１ｂとが設けられ、これらグランド信号線接続部２０１ａ，２０１ｂの間において、略直方形状の突起部２１５が上方へ突起している。
【０１９０】
すなわち、駆動信号回路用グランド信号線接続部２０１ａと映像出力回路用グランド信号線接続部２０１ｂとは、他のケーブル接続部（駆動信号ケーブル接続部４９ａ、映像信号ケーブル接続部４９ｂ、及び電源ケーブル接続部２００）と別の段に設けられている。
【０１９１】
次に、このように構成された撮像素子パッケージ３３に複合信号ケーブル３５が接続された状態について、図５４、及び図５５を用いて、以下に説明する。
【０１９２】
先ず、複合信号ケーブル３５の外皮１１９が剥脱される。次に、この剥脱された外皮１１９の端部と略同一位置にて総合シールド１１８、及び絶縁テープ１１７がカットされる。また、このカットされた近傍の外皮１１９の外周部分は、糸１０２が縛られ、接着剤で固着される。
【０１９３】
次に、映像出力回路用グランド用単純線１１４ｂの絶縁被覆１１６が剥脱される。また、映像信号用同軸線１０８ｂの外部絶縁被覆１１３ｂも剥脱される。
【０１９４】
そして、夫々の外部導体１１２ｂが撚り合わされ、映像出力回路用グランド用単純線１１４ｂの導体１１５ｂに巻きつけられて、映像信号回路用外部導体結束部２０２ｂが形成される。この映像信号回路用外部導体結束部２０２ｂは、積層基板２０５の後方側のケーブル接続端部２３１の映像出力回路用グランド信号線接続部２０１ｂに接続されている。
【０１９５】
また、駆動信号回路用グランド用単純線１１４ａの絶縁被覆１１６も外部絶縁被覆１１３ａが剥脱される。その近傍において、２本の駆動信号用同軸線１０８ａの外部絶縁被覆１１３ｂが剥脱され、それぞれの外部導体１１２ａ同士が撚り合わされ、駆動信号回路用グランド用単純線１１４ａの導体１１５ａに巻きつけ、駆動信号用外部導体結束部２０２ａが形成される。この駆動信号用外部導体結束部２０２ａは、積層基板２０５の後方側のケーブル接続端部２３１の駆動信号回路用グランド信号線接続部２０１ａに接続されている。
【０１９６】
以上から、駆動信号用同軸線１０８ａと映像信号用同軸線１０８ｂの外部導体１１２ａ、１１２ｂは、夫々が独立したグランド信号線接続部２０１ａ，２０１ｂに接続された構成となっている。
【０１９７】
その結果、本実施の形態の撮像装置３４は、外部導体結束部２０２ａ,２０２ｂを直接グランド信号線接続部２０１ａ,２０１ｂにリードを用いることなく直接接続しているため、撮像素子パッケージ３３のケーブル接続端部２３０，２３１の長さを夫々短くすることができる。また、後方のケーブル接続端部２３１には、突起部２１５が設けられているため、外部導体結束部２０２ａ,２０２ｂ同士を確実に絶縁できる。そのため、本実施の形態の撮像装置３４は、グランド信号線接続部２０１ａ,２０１ｂへの外部導体結束部２０２ａ,２０２ｂの半田付けの作業性が向上する。
【０１９８】
（第１の変形例）
次に、本実施の形態の第１の変形例について、図５６〜図５８を用いて、以下に説明する。  
図５６に示すように、本変形例に係る積層基板２０５のケーブル接続端部２３１には、３つの駆動信号回路用グランド信号線接続部２０１ａと、２つの映像出力回路用グランド信号線接続部２０１ｂが設けられている。これらのグランド信号線接続部２０１ａ，２０１ｂは、夫々の中心の離間距離が所定の長さＰ１の間隔で配設されている。
【０１９９】
これらのうち、３つの駆動信号回路用グランド信号線接続部２０１ａは、夫々が回路基板内で接続されている。つまり、仮に、３つの駆動信号回路用グランド信号線接続部２０１ａの何れかで短絡が発生しても回路の機能、及び品質に影響ない構成となっている。
【０２００】
また、２つの映像出力回路用グランド信号線接続部２０１ｂも、夫々が映像出力回路内で接続されている。つまり、仮に、２つの映像出力回路用グランド信号線接続部２０１ｂの何れかで短絡が発生しても回路の機能、及び品質に影響ない構成となっている。尚、３つの駆動信号回路用グランド信号線接続部２０１ａと、２つの映像出力回路用グランド信号線接続部２０１ｂは、互いが絶縁された電気的に独立した構成となっている。
【０２０１】
以上のように構成された撮像素子パッケージ３３への複合信号ケーブル３５の接続においては、電源ケーブル接続部２００に電源用単純線１１４ｃが接続されている。
【０２０２】
また、駆動信号を伝送する駆動信号用同軸線１０８ａは、段差２３１と段差２３０の境の近傍で、外部絶縁被覆１１３が剥脱されている。そして、外部導体２１２ａは、駆動信号回路用グランド信号線接続部２０１ａに接続されている。内部導体１０９ａは、駆動信号ケーブル接続部４９ａ近辺で内部絶縁被覆が剥脱され駆動信号ケーブル接続部４９ａに接続されている。
【０２０３】
また、映像信号を伝送する映像信号用同軸線１０８ｂは、段差２３１と段差２０８の境の近傍で、外部絶縁被覆１１３が剥脱されている。そして、外部導体２１２ｂは、映像出力回路用グランド信号線接続部２０１ｂに接続されている。内部導体１０９ｂは、映像信号ケーブル接続部４９近辺で内部絶縁被覆が剥脱され映像信号ケーブル接続部４９に接続されている。
【０２０４】
そして、図５８に示すように、各駆動信号用同軸線１０８ａの外部導体２１２ａは、夫々が対応する駆動信号回路用グランド信号線接続部２０１ａに直接接続されている。同様に、図示していないが、各映像信号用同軸線１０８ｂの外部導体２１２ｂも、夫々が対応した映像出力回路用グランド信号線接続部２０１ｂに直接接続されている。
【０２０５】
以上のように構成された本変形例の撮像装置３４は、外部導体結束部を設けなくて良いため、接続作業の作業性が良い構成となっている。
【０２０６】
また、駆動信号回路用グランド信号線接続部２０１ａ間では、夫々が電気的に接続されているため、例えば、そのうちの何れかが短絡しても、アース自体の問題が生じない。このため、接続作業者にとっては、各ケーブルの接続作業効率が向上する。尚、映像出力回路用グランド信号線接続部２０１ｂについても同様な効果を奏する。
【０２０７】
さらに、ケーブル接続部４９ａ，４９ｂ，２００は、ケーブル接続端部２３０の上面部２３０ａにおいて、最基端から所定の距離で前方側（撮像素子４１側）に配置されているため、外部導体２１２ａを介した各グランド信号線接続部２０１ａ，２０１ｂとの短絡を確実に防止できる。すなわち、駆動信号ケーブル接続部４９ａ，映像信号ケーブル接続部４９ｂの近傍まで同軸線１０８ａ，１０８ｂのシールド線を被せることができ、芯線をシールドされた範囲をより広く取ることができるため、シールド性能を向上することができる。
【０２０８】
なお、図５９に示すように、上述した３つの駆動信号回路用グランド信号線接続部２０１ａを１つの駆動信号回路用グランド信号線接続部２０１ａとし、上述した２つの映像出力回路用グランド信号線接続部２０１ｂを１つの映像出力回路用グランド信号線接続部２０１ｂとしても良い。
【０２０９】
この場合、グランド信号線接続部２０１ａ，２０１ｂの数が２つのみであるため、各接続部間の距離を長くすることができる。従って、各グランド信号線接続部２０１ａ，２０１ｂの隣接する離間距離であるピッチＰ２を上述のピッチＰ１より長くすることができる。
【０２１０】
このため、駆動信号回路用グランド信号線接続部２０１ａと、映像出力回路用グランド信号線接続部２０１ｂが短絡し難い構成となる。その結果、各グランド信号線接続部２０１ａ，２０１ｂの数が夫々１つとなり、数が減るので積層基板２０５を製作し易くなる。また、半田等で接続する時にも、接続する導体の位置ズレを気にしなくてよいので作業し易いという効果もある。
【０２１１】
以下、第６の実施の形態から第１１の実施の形態に記載する発明は、内視鏡装置、詳しくは励起光を照射して蛍光観察を行なう内視鏡装置に関するものである。
【０２１２】
ところで、従来の電子式の内視鏡を用いた内視鏡装置としては、例えば光源装置からの光源が光学フィルタを透過させる等の手段を用いて赤，緑，青等の光を順次被写体に向けて照射され、当該被写体からの反射光束を光の強弱を検出する撮像素子によって受光して光電変換処理を行なって被写体像に関する画像信号を生成し、当該撮像素子により生成された画像信号を受けてプロセッサは各種の信号処理を行なって、カラー画像を表示し得る画像データを生成し、当該画像データを表示装置に出力するように構成されたいわゆる面順次式の内視鏡装置がある。
【０２１３】
この面順次式の内視鏡装置におけるプロセッサ内の信号処理としては、例えば病変の発見を容易にするために行なわれる色強調処理がある。色強調処理は、生体粘膜に含まれるヘモグロビンの量を基準にして色を強調する等の処理を施した通常の観察画像を表示させることで、その表示画像上において正常粘膜と病変粘膜とを色の差によって明確に区別しやすくする処理である。
【０２１４】
一方、電子式の内視鏡において適用される撮像素子は、通常の場合、挿入部の先端部に配置して構成したものが一般に普及している。
【０２１５】
近年において、内視鏡に用いられる撮像素子は、非常に小型化されたものが開発されている。しかしながら、例えば気管支等の狭い体腔に対して使用される内視鏡のように、挿入部の細径化が特に望まれる場合には、撮像素子を挿入部の先端部に配設する構成は、挿入部の外径の細径化には適さない構成であるといえる。
【０２１６】
そこで、挿入部の細径化が特に望まれる内視鏡においては、撮像素子を例えば操作部の内部に配設して構成したものがある。このような内視鏡は、挿入部の先端部から当該挿入部内を挿通させた後、操作部の内部の後端（基端）側近傍にまで延出させた光ファイバーによって、内視鏡先端に設けられる対物光学系により結像される光学像を伝送し、操作部の内部において当該光ファイバーの後端面に対向する部位に撮像光学系及び撮像素子に配置することで、当該撮像素子の受光面上に撮像画像が結像するように構成している。
【０２１７】
また、他には、ユニバーサルコードに分岐する部分よりも後方側の操作部内に光ファイバーの後端を設け、これに対向する操作部内の所定の位置に撮像ユニット（テレビカメラ）を内蔵して構成したものもある。
【０２１８】
一方、内視鏡により得られた画像に基づく診断では、肉眼で見えるのと同様のカラー画像をモニタに表示する通常観察のほかに、生体組織の自家蛍光を利用した自家蛍光観察も行なわれはじめている。
【０２１９】
この自家蛍光観察では、紫外から青色の励起光を生体組織に当てた時に生体組織から出てくる自家蛍光のスペクトルが正常粘膜と腫瘍で異なることを利用して診断を行なうというものである。
【０２２０】
この場合において、自家蛍光観察用の画像は、生体組織により反射されて戻ってくる反射光画像に対してそれぞれ異なる色を割り当ててモニタに表示させることで、表示画像上で病変部と正常部との色の違いを明確に認識できるように表示されるように構成している。
【０２２１】
蛍光は、通常の場合には、微弱であるために、これによって取得し得る自家蛍光画像にはノイズ成分が多く含まれることが知られている。このことから、従来の自家蛍光観察用の内視鏡装置におけるプロセッサには、例えばノイズ除去回路が搭載されることが多い。
【０２２２】
また、従来の内視鏡装置においては、通常の内視鏡画像を観察する通常観察のほかに、例えば自家蛍光観察と狭帯域光観察とを行なうことのできる内視鏡装置については、挿入部の先端部に二つの撮像素子を配設し、一方の撮像素子に対応する結像光学系内に特定波長のみを透過させる透過特性を有するフィルタ等を配置することで、自家蛍光観察や狭帯域光観察等を行ない得るようにし、他方の撮像素子では通常の内視鏡画像を観察し得るように構成しているものがある。
【０２２３】
ところが、上述したように挿入部の先端部に撮像素子を配置した構成をとった場合には、挿入部をさらに細径化するには限度があることから、撮像素子を操作部の内部に配置して構成したものがあるが、通常の内視鏡画像のみを観察することを考慮したものであり、例えば自家蛍光観察や狭帯域光観察等に対応したものではない。
【０２２４】
一方、通常観察のほかに、例えば自家蛍光観察や狭帯域光観察等に対応した内視鏡装置においては、いずれもが挿入部の先端部に二つの撮像素子を配置する構成をとっていることから、挿入部の先端部の細径化をさらに進めるには限界があるという問題点がある。
【０２２５】
以下に記載する発明は、上述した点に鑑みてなされたものであって、その目的とするところは、通常観察のほかに自家蛍光観察や狭帯域光観察等、複数の観察モードに対応した内視鏡装置であって、挿入部のさらなる細径化を実現することができる内視鏡装置を提供することである。
【０２２６】
（第６の実施の形態）
本発明の第６の実施の形態について、以下に説明する。  
図６０は、本発明の第６の実施の形態の内視鏡装置の外観を示す斜視図である。図６１は、図６０の内視鏡装置における光源装置の内部構成を示すブロック構成図である。図６２は、図６１の光源装置内に配設される帯域切換フィルタを示す正面図である。図６３は、図６１の光源装置内に配設される回転フィルタ板を示す正面図である。図６４は、図６０の内視鏡装置の内視鏡の操作部の内部に設けられる撮像ユニットを取り出して示す要部拡大断面図である。
【０２２７】
図６０に示すように本発明の第１の実施の形態の内視鏡装置は、内視鏡３０１と、光源装置３１５と、プロセッサ３１６と、表示装置であるモニタ３１７とによって主に構成されている。
【０２２８】
内視鏡３０１は、体腔内等に挿入され可撓性を有する細長の挿入部３０２と、この挿入部３０２の後端に設けられた操作部３０３と、この操作部３０３の側部からその基端（近位端）が延出されたユニバーサルコード３０４と、このユニバーサルコード３０４の末端（遠位端）に設けられたコネクタ３０５等によって主に構成されている。
【０２２９】
コネクタ３０５の末端からは、ライトガイド口金３０６が突出されている。このライトガイド口金３０６は、光源装置３１５に接続されるようになっている。これにより、当該光源装置３１５から照明光が供給され、その照明光は内視鏡３０１の内部を挿通するライトガイドファイバー束３０６ａ（後述する。図６１参照）により伝送されて、挿入部３０２の先端の照明窓（特に図示せず）から出射され、患部等の検査対象部位を照明するようになっている。
【０２３０】
また、このコネクタ３０５の側面には、電気コネクタ部３０７が設けられている。この電気コネクタ部３０７には、接続ケーブル３１８を介してビデオプロセッサ３１６が接続されるようになっている。これにより、ビデオプロセッサ３１６は、内視鏡３０１の操作部３０３に内蔵される撮像素子３２１（後述する。図６４参照）と電気的に接続されることになる。そして、プロセッサ３１６は、撮像素子３２１に対して所定の駆動信号を印加し、この撮像素子３２１により撮像された撮像信号を受けて、これに対して所定の信号処理を行なって映像信号を生成するようになっている。
【０２３１】
モニタ３１７は、プロセッサ３１６により生成された所定の撮像信号を受けて、所定の内視鏡画像をその表示画面上に表示するようになっている。
【０２３２】
内視鏡３０１の挿入部３０２は、先端側から硬質の先端部３０８と、湾曲自在の湾曲部３０９と、可撓性を有する可撓管部３１０とが順次連設されて構成されている。そして、可撓管部３１０の後端側は操作部３０３に連設されている。
【０２３３】
操作部３０３は、術者等の操作者が把持する把持部３１１と、内視鏡３０１における各種の操作をおこなう複数の操作部材とを備えて構成されている。
【０２３４】
把持部３１１の先端側の内部には、当該把持部３１１と挿入部３０２の可撓管部３１０とを連結する連結部材（特に図示せず）が配設されている。
【０２３５】
把持部３１１の後端側（上端或いは頂部）には、当該把持部３１１を把持した側の手によって操作し得るように湾曲レバー３１２が配設されている。この湾曲レバー３１２を操作することによって湾曲部３０９を湾曲させて、先端部３０８を上下方向に湾曲させ得るようになっている。
【０２３６】
なお、本実施の形態の内視鏡３０１においては、挿入部３０２の細径化を考慮して、湾曲部３０９を上下方向にのみ湾曲し得る構造を採用している。しかしながら、これとは別に、例えば従来一般的な内視鏡において適用される構造を用いることで上下方向の湾曲に加えて、左右方向への湾曲をも行ない得る構造を有するように構成してもよい。
【０２３７】
また、操作部３０３の後端側には、ビデオプロセッサ３１６に対して例えばフリーズやレリーズ等の遠隔操作を行なうための操作部材であるビデオスイッチ部３１３等が配設されている。
【０２３８】
把持部３１１の先端側の近傍には、例えば鉗子等の処置具（特に図示せず）を挿入部３０２の内部に挿入させるための挿入口３１４が配設されている。この挿入口３１４は、挿入部３０２の内部において、挿入部３０２の先端部３０８まで挿通して設けられるチャンネル（特に図示せず）に連通している。したがって、挿入口３１４から挿入された処置具は、チャンネル内を挿通させ、先端部３０８の前面に形成される窓部より外部に突出させ得るようになっている。
【０２３９】
操作部３０３の側面部からは、ユニバーサルコード３０４が外部に向けて、例えば当該操作部３０３の軸方向に沿う方向に対して直交する方向に向けて延出している。
【０２４０】
ユニバーサルコード３０４の内部には、ライトガイドファイバー束３０６ａや操作部３０３内の撮像素子３２１等（図６４参照）に接続される信号ケーブル束３２６（図６４参照）等が挿通されている。
【０２４１】
光源装置３１５は、図６１に示すように赤外域から可視域をカバーする光を放射するキセノンランプ等のランプ３３１と、このランプ３３１の照明光路上に設けられ透過波長を制限する帯域切換フィルタ３３２と、この帯域切換フィルタ３３２を切り換えるためのモータ３３３と、透過する波長域が異なるフィルタが設けられた回転フィルタ板３３４と、この回転フィルタ板３３４を回転駆動するためのモータ３３５と、回転フィルタ板３３４を照明光軸に対して直交する方向（図６１において矢印Ｘで示す方向）へと移動させるためのモータ３３６と、内視鏡３０１のコネクタ３０５側のライトガイド口金３０６が装着され回転フィルタ板３３４を透過した光を集光してライトガイドファイバー束３０６ａの端面に入射させる集光レンズ３３７と、を備えて構成されている。
【０２４２】
この場合において、回転フィルタ板３３４を回転するモータ３３５には、ラック３３８が取り付けられている。このラック３３８には、モータ３２６の回転軸に固設されているピニオン３３９が噛合している。これにより、モータ３３６が回転駆動されると、ピニオン３３９とラック３３８との噛合によってモータ３３５及び回転フィルタ板３３４が照明光軸と略直交する方向（矢印Ｘ方向）に移動されるようになっている。
【０２４３】
また、光源装置３１５においては、例えばフロントパネルには使用者が操作できる位置において、通常光励起光切替スイッチ３４０が配置されている。なお、本実施の形態においては、通常光励起光切替スイッチ３４０は、光源装置３１５による照明光の制御を通常観察に対応する通常の照明光と、自家蛍光観察に対応する照明光とを切り換えるスイッチとして機能するようになっている。しかしながら、これに限ることはなく、当該スイッチ３４０は、例えば通常観察と自家蛍光観察と狭帯域光観察と赤外光観察等に対応する内視鏡装置において、各観察モードにそれぞれ対応する照明光の切り換えを行ない得るようにすることもできる。
【０２４４】
帯域切換フィルタ３３２は、図６１に示すように通常蛍光観察用フィルタ３４１，赤外観察用フィルタ３４２，狭帯域光観察用フィルタ３４３が配置されている。
【０２４５】
各フィルタの分光特性は、例えば次のようになっている。即ち、通常蛍光観察用フィルタ３４１の透過特性は、４００ｎｍ〜６６０ｎｍの光を透過する。赤外観察用フィルタ３４２の透過特性は７９０〜９８０ｎｍの光を透過する。狭帯域光観察フィルタ３４３は、１つのフィルタで３つの離散的な帯域を透過する３峰性の透過特性を有している。つまり、狭帯域光観察フィルタ３４３は、４００〜４３０ｎｍと５３０〜５６０ｎｍと６００〜６３０ｎｍとの光を透過する透過特性を有している。
【０２４６】
回転フィルタ板３３４は、図６３に示すように外周側に、赤の波長の光を透過するＲフィルタ３４４と、緑の波長の光を透過するＧフィルタ３４５と、青の波長の光を透過するＢフィルタ３４６とがそれぞれ配置されている。
【０２４７】
この外周側の各フィルタ３４４，３４５，３４６は、可視光の帯域の波長の光（赤，緑，青）だけでなく、これに加えて近赤外光の帯域も部分的に透過する特性を持っている。具体的には、Ｒフィルタ３４４及びＧフィルタ３４５の透過特性は、赤の波長の光又は緑の波長の光に加えて７５０〜８２０ｎｍの光を透過する特性を有している。また、Ｂフィルタ３４６の透過特性は、青の波長の光に加えて９００ｎｍ以上の波長の光を透過する特性を有している。
【０２４８】
また、回転フィルタ板３３４の内周側には、５４０〜５６０ｎｍの光を透過するＧ′フィルタ３４７と、３９０〜４５０ｎｍの励起光を透過する励起フィルタ３４８と、６００〜６２０ｎｍの光を透過するＲ′フィルタ３４９とがそれぞれ配置されている。
【０２４９】
一方、本実施の形態の内視鏡装置における内視鏡３０１の操作部３０３の内部には、図６４に示すような撮像ユニット３２０が配設されている。この撮像ユニット３２０は、複数の光学レンズからなる撮像光学系３２３と、この撮像光学系３２３の光軸Ｏ（図６４参照）上に挿入される励起光カットフィルタ３２２と、撮像光学系３２３及び励起光カットフィルタ３２２を保持するレンズ保持部材３２４と、撮像素子３２１と、この撮像素子３２１を保持するＣＣＤ保持部材３２５と、撮像素子３２１の後端側へと延出し撮像信号や制御信号が伝送される信号ケーブル束３２６等によって主に構成されている。
【０２５０】
撮像ユニット３２０は、上述したように操作部３０３の内部に配設されている。この撮像ユニット３２０は、挿入部３０２の先端側から当該挿入部３０２を挿通して操作部３０３の内部に引き込まれたイメージガイドファイバー束３２７の一端面に対して撮像光学系３２３が対向する部位に配設されている。
【０２５１】
イメージガイドファイバー束３２７の先端側の他端面には、被写体側からの光束を集光する集光レンズ（特に図示せず）が一体に配設されている。この集光レンズは、挿入部３０２の先端部３０８に配置される対物光学系（特に図示せず）に対向するように配置されている。これにより、対物光学系によって結像された検査対象部位の被写体像は、イメージガイドファイバー束３２７を介して撮像ユニット３２０へと伝送されるようになっている。
【０２５２】
これを受けて、この撮像ユニット３２０は、検査対象部位の被写体像を撮像素子３２１の結像面３２１ａ上に結像させるようになっている。
【０２５３】
励起光カットフィルタ３２２は、干渉膜フィルタの斜入射特性を考慮して、撮像光学系３２３内の入射光が光軸Ｏに略平行となるアフォーカル部に配置されている。
【０２５４】
また、励起光カットフィルタ３２２は、例えば４５０ｎｍ以下の波長の光を遮断する透過特性を有しており、その透過帯域は、光源装置３１５内の回転フィルタ板３３４の励起フィルタ３４８における透過帯域（３８０〜４５０ｎｍ）と重ならないように設定されている。
【０２５５】
なお、撮像ユニット３２０の撮像光学系３２３は、当該撮像光学系３２３を透過する光束が光軸Ｏに略平行となるように各レンズの設計がなされている。これにより、撮像光学系３２３から出射した光束は、結像面３２１ａに対して略真っ直ぐに入射するように設定されている。
【０２５６】
このように、結像面３２１ａに対して被写体像を形成する光線が略真っ直ぐに入射するようにする場合、撮像光学系３２３の光軸Ｏに沿う方向における寸法は大きくなる傾向にある。しかし、本実施の形態においては、撮像ユニット３２０を内部空間に余裕のある操作部３０３の内部に配設するようにしたので、無理なく撮像ユニット３２０を配置することができる。
【０２５７】
また、このことは、撮像光学系３２３内のアフォーカル部に配置した励起光カットフィルタ３２２を透過する光線が、光軸Ｏに対して略平行となるように、即ち励起光カットフィルタ３２２に対して略直交するように通過することになる。したがって、励起光カットフィルタ３２２として、例えば反射型のものを適用した場合には、入射面に対して斜入光線が少ないことから、より効率的に励起光の遮断をおこなうことができる。したがって、励起光の漏れを確実に抑止することができ、よって撮像素子３２１により取得される撮像信号にノイズが混入することを抑止して、良好な画像信号を取得することができる。
【０２５８】
なお、光源装置３１５には、複数の観察モードに対応し、選択された観察モードに対応する照明光を内視鏡３０１のライトガイドファイバー束３０６ａに対して供給し得るような構成となっている。これと同時に、プロセッサ３１６には選択された各観察モードにおいて、その観察モードで撮像された信号に対して必要とされる信号処理が適宜行われるようになっている。このような構成により、例えば通常観察時や赤外光観察時には色強調処理が行なわれ、自家蛍光観察時にはノイズ除去処理が自動的に行なわれるようになっている。
【０２５９】
このように構成された上記第６の実施の形態の内視鏡装置による作用を以下に説明する。
【０２６０】
図６１に示すように、光源装置３１５のランプ３３１からは、検査対象部位にある被写体を照明するための光が放射される。ランプ３３１から放射された光は、光源装置３１５の内部において、帯域切換フィルタ３３２及び回転フィルタ板３３４を通過した後、集光レンズ３３７によって集光されてライトガイドファイバー束３０６ａに入射される。
【０２６１】
ここで、帯域切換フィルタ３３２は、プロセッサ３１６からのフィルタ切換指示信号によって制御されるモータ３３３によって回転駆動される。この場合において、通常観察時及び自家蛍光観察時には、通常蛍光観察用フィルタ３４１が照明光路上に挿入される。狭帯域光観察時には、狭帯域光観察用フィルタ３４３が照明光路上に挿入される。赤外観察時には、赤外観察用フィルタ３４２が照明光路上に挿入される。
【０２６２】
回転フィルタ板３３４は、通常観察時と狭帯域光観察時と赤外観察時には、外周側のフィルタ３４４，３４５，３４６が光軸上に挿入された状態で、モータ３３５によって所定の速度で回転駆動される。これにより、照明光路上には、Ｒフィルタ３４４，Ｇフィルタ３４５，Ｂフィルタ３４６が順次挿入されることなる。
【０２６３】
帯域切換フィルタ３３２と回転フィルタ板３３４との組み合わせによって、両フィルタ３３２，３３４を透過する光の波長は異なる。即ち、通常観察時には、赤，緑，青の波長の光が透過する。狭帯域光観察時には、４００〜４３０ｎｍ，５３０〜５６０ｎｍ，６００〜６３０ｎｍの波長の光が透過する。赤外光観察時には、７９０〜８２０ｎｍ，７９０〜８２０ｎｍ，９００〜９８０ｎｍの波長の光が透過する。
【０２６４】
一方、自家蛍光観察時には、回転フィルタ板３３４は、プロセッサ３１６からのフィルタ切換指示信号に応じて駆動されるモータ３３６によって、照明光路とは略直交する方向（図６１の矢印Ｘ方向）に移動される。これによって、回転フィルタ板３３４の内周側のフィルタ３４７，３４８，３４９が照明光路上に挿入されることになる。そして、この自家蛍光観察時には、５４０〜５６０ｎｍ，３９０〜４５０ｎｍ，６００〜６２０ｎｍの波長の光が順次透過することになる。ここで、励起光フィルタ３４８を透過する３９０〜４５０ｎｍの光が生体組織からの自家蛍光を励起するための励起光となる。
【０２６５】
なお、モータ３３５は、自家蛍光観察時には他の観察モードのときに比べて遅い速度で回転するように駆動制御されている。このことは、自家蛍光観察時において、微弱な蛍光を長い露光時間で撮像するための措置である。
【０２６６】
光源装置３１５からライトガイドファイバー束３０６ａに入射された光は、内視鏡３０１の先端部３０８の照明窓（図示せず）から検査対象部位の被写体に向けて照射される。そして、被写体によって散乱，反射，放射された光のうちの一部が内視鏡３０１の先端部３０８の対物光学系（図示せず）に入射して、この対物光学系によって被写体像が形成される。この被写体像を形成する光束は、イメージガイドファイバー束３２７の先端の集光レンズ（図示せず）から入射して、同イメージガイドファイバー束３２７を介して操作部３０３内の撮像ユニット３２０に到達する。そして、当該撮像ユニット３２０を介して撮像素子３２１の結像面３２１ａ上に結像される。これを受けて、撮像素子３２１は所定の光電変換処理を行なう。
【０２６７】
この場合において、被写体像を表わす光束が、撮像ユニット３２０の撮像光学系３２３を透過する際には、励起光カットフィルタ３２２を透過することになる。ここで、当該光束のうち３９０〜４５０ｎｍの励起光が遮断されて蛍光が抽出される作用がなされる。
【０２６８】
なお、撮像素子３２１は、プロセッサ３１６内に設けられるＣＣＤ駆動回路（特に図示せず）によって回転フィルタ板３３４の回転に同期して駆動される。したがって、通常観察時等には、回転フィルタ板３３４のＲフィルタ３４４，Ｇフィルタ３４５，Ｂフィルタ３４６をそれぞれ透過した照射光に対応する画像信号が順次プロセッサ３１６へと出力される。また、自家蛍光観察時には、回転フィルタ板３３４のＧ′フィルタ３４７，励起フィルタ３４８，Ｒ′フィルタ３４９をそれぞれ透過した照射光に対応する画像信号が順次プロセッサ３１６へと出力される。
【０２６９】
これを受けて、プロセッサ３１６は、入力された画像信号に対して所定の画像信号処理を施して、モニタ３１７へと出力する。モニタ３１７は、これを受けて対応する画像を表示画面に表示する。
【０２７０】
以上説明したように、上記第６の実施の形態によれば、撮像ユニット３２０を操作部３０３の内部に配設し、挿入部３０２の先端部３０８の対物光学系にて形成した被写体像を、同挿入部３０２に挿通させたイメージガイドファイバー束３２７を介して撮像ユニット３２０へと伝送し、この撮像ユニット３２０を透過させることにより、撮像素子３２１の結像面３２１ａ上に被写体像を結像させるようにしている。そして、撮像ユニット３２０の撮像光学系３２３の内のアフォーカル部に励起光カットフィルタ３２２を配設している。
【０２７１】
このような構成とすることにより、挿入部３０２の先端部３０８に撮像素子３２１を配設する必要がなくなるので、挿入部３０２の細径化を実現することができると同時に、撮像光学系３２３無いに配設した励起光カットフィルタ３２２によって効率的な励起光の遮断をおこなうことができる。したがって、これにより、撮像素子３２１によって取得される撮像信号へのノイズの混入を抑止することができ、よって良好な画像信号を取得することができる。
【０２７２】
（第７の実施の形態）
次に、本発明の第７の実施の形態の内視鏡装置について、以下に説明する。  
図６５は、本発明の第７の実施の形態の内視鏡装置において、内視鏡の先端部近傍を拡大して示す要部拡大断面図である。
【０２７３】
本実施の形態の基本的な構成は、上述の第６の実施の形態と略同様であって、励起光カットフィルタの配置が異なるのみである。したがって、上述の第５の実施の形態と同様の構成部材については、その説明及び図示を省略し、異なる部材についてのみ、以下に説明する。
【０２７４】
上述の第６の実施の形態では、撮像ユニット３２０を操作部３０３の内部に配設し、その撮像ユニット３２０の撮像光学系３２３の内のアフォーカル部に励起光カットフィルタ３２２を配設している。しかしながら、励起光カットフィルタの配置は、これに限ることはない。例えば、本発明の第７の実施の形態の内視鏡装置においては、図６５に示すように、励起光カットフィルタ３２２Ａを内視鏡３０１の先端部３０８に配置される対物光学系３２８内に配置している。
【０２７５】
即ち、本実施の形態の内視鏡装置における内視鏡３０１の先端部３０８には、被写体像を形成するための複数の光学レンズ及びこの光学レンズを保持するレンズ枠とからなる対物光学系３２８が配設されている。この対物光学系３２８の光軸Ｏ１上であって、当該対物光学系３２８の後方において、同対物光学系３２８と対向する位置には、被写体側からの光束を集光する集光レンズ３２９が配置されている。この集光レンズ３２９は、イメージガイドファイバー束３２７の先端側の一端面に一体に配設されている。
【０２７６】
そして、対物光学系３２８内には、この対物光学系３２８を構成する複数の光学レンズと同軸上に励起光カットフィルタ３２２Ａが挟まれるようにして配設されている。
【０２７７】
このような構成によって、本実施の形態の内視鏡装置においては、被写体から反射して対物光学系３２８へと入射する光束のうちの励起光成分が励起光カットフィルタ３２２Ａによって遮断されるようになっている。
【０２７８】
その他の構成は、上述の第６の実施の形態と同様である。なお、図６５に示す符号３０は、操作部３０３の所定部位に設けられる挿入口３１４から挿入部３０２の内部を先端部３０８まで挿通して設けられるチャンネルを示すものである。
【０２７９】
以上説明したように、上記第７の実施の形態においては、励起光カットフィルタ３２２Ａを内視鏡３０１の先端部３０８に設けられる対物光学系３２８内に配置したことから、被写体像が形成される時点で励起光を遮断することができる。
【０２８０】
なお、本実施の形態においては、対物光学系３２８内に、この対物光学系３２８を構成する複数の光学レンズとは別に励起光カットフィルタ３２２Ａを配置するようにしているが、このような形態に限ることはない。例えば、対物光学系３２８を構成する複数の光学レンズの各表面に励起光を遮断し得るようなコーティング膜を設ける薄膜コーティング処理を行なってもよい。この場合には、対物光学系３２８の各表面コーティングが反射型の励起光カットフィルタの役目をすることになる。このような構成としても、本実施の形態と全く同様の効果を得ることができる。
【０２８１】
このように反射型の励起光カットフィルタを具備した場合には、図６５において符号Ｂで示すように光軸Ｏ１に対して平行に入射してくる平行光線Ｂに含まれる励起光に対しては極めて有効に遮断する機能を発揮することができる。
【０２８２】
また、この場合には、対物光学系３２８に対して別部材を追加することなく、同光学系３２８の薄膜コーティング処理によって励起光カットフィルタを構築するようになるので、対物光学系３２８の大型化を抑止することができると共に、部材点数を増やすことなく励起光を遮断する機能を実現することができる。
【０２８３】
ところで、上述の第７の実施の形態において、反射型の励起光カットフィルタを適用した場合、例えば図６５において符号Ａで示すような光軸に対して斜め方向からの入射光線Ａに含まれる励起光に対しては、その遮断能力が平行光線Ｂの場合に比べて若干劣ることが知られている。
【０２８４】
また、イメージガイドファイバー束３２７を光束が通過する際には、イメージガイドファイバー自身の特性によって励起光が発生することもあることが知られている。
【０２８５】
このように、イメージガイドファイバー自身から生じる励起光については、上述の第５の実施の形態のように、被写体像を表わす光束が撮像素子３２１に入射する以前の時点で、即ち撮像光学系３２３内に励起光カットフィルタ３２２（図６４参照）を配設すれば、ここで遮断することは容易である。
【０２８６】
したがって、例えば、第６の実施の形態の構成（操作部３０３の内部に配設した撮像ユニット３２０の撮像光学系３２３の内のアフォーカル部に励起光カットフィルタ３２２を配設する構成）に対して、第７の実施の形態の構成（内視鏡３０１の先端部３０８の対物光学系３２８内に励起光カットフィルタ３２２を設ける構成）を加えた形態の第８の実施の形態も考えられる（第８の実施の形態）。
【０２８７】
この第８の実施の形態によれば、被写体側から対物光学系３２８に入射する光束に含まれる励起光は、同対物光学系３２８内の励起光カットフィルタ３２２Ａによって遮断され、かつイメージガイドファイバーによって生じる励起光は、撮像光学系３２３内の励起光カットフィルタ３２２によって遮断される。
【０２８８】
したがって、本実施の形態によれば、上述の第５の実施の形態による効果に加えて第６の実施の形態による効果を同時に得ることができる。
【０２８９】
（第９の実施の形態）
以下、本発明の第９の実施の形態の内視鏡装置について説明する。  
図６６は、本発明の第９の実施の形態の内視鏡装置において、内視鏡の操作部の内部に配設される撮像ユニットを取り出して示す要部拡大断面図である。
【０２９０】
本実施の形態の基本的な構成は、上述の第６の実施の形態と略同様であって、励起光カットフィルタを撮像ユニットの撮像光学系に対して挿抜自在に構成した点が異なる。したがって、上述の第６の実施の形態と同様の構成部材については、その説明及び図示を省略し、異なる部材についてのみ、以下に説明する。
【０２９１】
上述の第６の実施の形態では、操作部３０３の内部に配設した撮像ユニット３２０の撮像光学系３２３内に励起光カットフィルタ３２２を固配設している。
【０２９２】
これに対して、本実施の形態の内視鏡装置においては、図６６に示すように、励起光カットフィルタ３２２Ｂを撮像ユニット３２０の撮像光学系３２３に対して挿抜自在となるように構成している。
【０２９３】
即ち、図６６に示すように、本実施の形態の撮像ユニット３２０Ｂにおいて、撮像光学系３２３を構成する複数の光学レンズを保持するレンズ保持部材３２４Ｂには、側壁部の中程の部位に励起光カットフィルタ３２２Ｂを挿抜するための挿抜口３２４Ｂａが穿設されている。
【０２９４】
励起光カットフィルタ３２２Ｂは、この挿抜口３２４Ｂａから撮像光学系３２３の光軸Ｏに対して略直交する方向（図６６に示す矢印Ｘに沿う方向）に挿抜されるようになっている。この場合において、励起光カットフィルタ３２２Ｂは、撮像光学系３２３の光軸上に配置される位置と、同撮像光学系３２３を通過する光束から完全に退避する位置との間で挿抜されるようになっている。
【０２９５】
そのために、励起光カットフィルタ３２２Ｂは、アクチュエータ３５１と共に、励起光カットフィルタ挿抜機構３５０を構成している。そして、励起光カットフィルタ３２２Ｂは、このアクチュエータ３５１の駆動力によって、撮像ユニット３２０Ｂの撮像光学系３２３に対して挿抜されることになる。
【０２９６】
このように構成される本実施の形態においては、自家蛍光観察を行なう動作モード時には、励起光カットフィルタ３２２Ｂを撮像光学系３２３の光軸上に配置する。これによって、励起光を遮断することができるようになる。
【０２９７】
また、通常観察等を行なう動作モード時には、励起光カットフィルタ３２２Ｂは、撮像光学系３２３を通過する光束から完全に退避する位置に配置する。これによって、通常の内視鏡画像の観察を行なうことができる。
【０２９８】
したがって、励起光カットフィルタ３２２Ｂを挿抜するタイミングとしては、例えば動作モードの切り換え時に行なう通常光励起光切替スイッチ３４０等の操作に連動させて、対応する動作モードに合わせて励起光カットフィルタ挿抜機構３５０を駆動させるようにすればよい。
【０２９９】
以上説明したように上記第９の実施の形態によれば、励起光カットフィルタ３２２Ｂを撮像光学系３２３に対して挿抜自在に構成したので、一つの内視鏡３０１において、切替操作を行なうのみで、自家蛍光観察を含む複数の観察モードに対応することができる。
【０３００】
また、撮像ユニット３２０Ｂを操作部３０３の内部に配置した形態であって、撮像ユニット３２０Ｂの撮像光学系３２３に対して励起光カットフィルタ３２２Ｂを挿抜自在に構成しており、その励起光カットフィルタ挿抜機構３５０を操作部３０３の内部における比較的広い空間に配置することができる。したがって、これにより内視鏡３０１の大型化及び内視鏡３０１の挿入部３０２の太径化をすることなく、容易に励起光カットフィルタ３２２Ｂの挿抜を実現することができる。
【０３０１】
ところで、従来において、内視鏡の先端部に二つの撮像素子を配置し、一方の撮像素子を用いて鮮明な内視鏡画像による通常観察を行なうと同時に、他方の撮像素子を用いて自家蛍光観察を行なうことができるようにしたいわゆる二眼式の内視鏡装置がある。このようなタイプの内視鏡装置に対しても、本発明を適用することは容易である。次に説明する本発明の第９の実施の形態の内視鏡装置は、その例示である。
【０３０２】
（第１０の実施の形態）
次に、本発明の第１０の実施の形態の内視鏡装置について説明する。
【０３０３】
図６７は、本発明の第１０の実施の形態の内視鏡装置において、内視鏡の先端部近傍を拡大して示す要部拡大断面図である。
【０３０４】
本実施の形態の内視鏡装置における内視鏡は、二つの撮像素子を備えたいわゆる二眼式の内視鏡である。上述したように、従来の二眼式の内視鏡では、二つの撮像素子を先端部に配設した構成のものがある。
【０３０５】
これに対して本実施の形態における内視鏡では、図６７に示すように一方の第１撮像素子及び第１撮像ユニット（図６７では図示せず。図６４参照）を操作部（図６０参照）内に配設すると共に、他方の第２撮像素子３２１Ｘ及び第２撮像ユニット３２０Ｘを内視鏡の先端部３０８Ｃに配設して構成している。
【０３０６】
第１撮像素子及び第１撮像ユニットは、上述の第６の実施の形態と略同様に構成されるものであって、自家蛍光観察を行なう際に用いられるものである。
【０３０７】
即ち、図６７に示す対物光学系３２８から入射した光束は、当該対物光学系３２８内の光軸上に配設される励起光カットフィルタ３２２Ａを介して集光レンズ３２９及びイメージガイドファイバー束３２７を経て、図６４に示すように操作部内の第１撮像ユニット（２０）の撮像光学系３２３及び励起光カットフィルタ３２２を通過して第１撮像素子３２１に至り、その受光面３２１ａ上に被写体像が結像されるようになっている。
【０３０８】
この場合においては、先端部３０８Ｃの対物光学系３２８内の励起光カットフィルタ３２２Ａによって、被写体からの光束から励起光が遮断される。さらに、撮像ユニット（２０）の撮像光学系３２２内の励起光カットフィルタ３２２によって、残存する励起光、例えばイメージガイドファイバー束３２７から発生する励起光を含めて遮断される。
【０３０９】
一方、第２撮像素子３２１Ｘ及び第２撮像ユニット３２０Ｘは、従来の内視鏡と同様に、内視鏡の先端部３０８Ｃ内に配設されており、内視鏡画像の通常観察等を行なう際に用いられるものである。
【０３１０】
即ち、図６７に示すように、第２撮像ユニット３２０Ｘは、複数の光学レンズからなる撮像光学系３２３Ｘと、この撮像光学系３２３Ｘを保持するレンズ保持部材３２４Ｘと、第２撮像素子３２１Ｘと、この第２撮像素子３２１Ｘを保持するＣＣＤ保持部材３２５Ｘと、第２撮像素子３２１Ｘの後端側へと延出し撮像信号や制御信号が伝送される信号ケーブル束３２６Ｘ等によって主に構成されている。
【０３１１】
撮像光学系３２３Ｘから入射した光束は、当該対物光学系３２３Ｘにて被写体像が形成されて第２撮像素子３２１Ｘの受光面３２１ａ上に結像される。これを受けて、第２撮像素子３２１Ｘは、所定の光電変換処理を行なって撮像信号を生成し、この撮像信号は、信号ケーブル束３２６Ｘを介してプロセッサ（図示せず）へと伝送される。これを受けてプロセッサは、所定の信号処理を実行する。これにより、通常観察用の内視鏡画像が生成される。
【０３１２】
その他の構成は、従来の二眼式の内視鏡に準ずる。
【０３１３】
このように構成される上記第１０の実施の形態によれば、二眼式の内視鏡において、自家蛍光観察を行なう側の第１撮像素子及び第１撮像ユニットを操作部内に配設し、内視鏡の先端部３０８Ｃに配設される対物光学系３２８内に励起光カットフィルタ３２２Ａを備え、被写体像がイメージガイドファイバー束３２７を介して第１撮像ユニット及び第１撮像素子へと伝送するように構成したので、内視鏡の先端部３０８Ｃの外形寸法を、従来の二眼式の内視鏡であって先端部に二つの撮像素子を配設したものに比べて、小径化することができる。
【０３１４】
なお、この第１０の実施の形態では、上述の第８の実施の形態と同様に、第１撮像ユニットの撮像光学系内にも励起光カットフィルタを配して構成しているが、上述の第６の実施の形態と同様に、先端部３０８Ｃの対物光学系３２８内にのみ励起光カットフィルタ３２２Ａを配した構成でも構わない。
【０３１５】
また、励起光カットフィルタ３２２Ａを配設するのに代えて、対物光学系３２８に対して薄膜コーティング処理を施すことで、励起光カットフィルタを構築するようにしてもよいのはもちろんである。
【０３１６】
上述の各実施の形態においては、撮像関係の光学系（撮像光学系または対物光学系）のなかに励起光カットフィルタを配設することで、自家蛍光観察を行ない得るようにした内視鏡装置の構成例を示している。
【０３１７】
これに対して、次に説明する第１１の実施の形態においては、照明系の自家蛍光を遮断して励起光のみを透過させる光学性能を有する励起光フィルタを配設することで、励起光のみの照明光を被写体に対して照射することができ、よってノイズの少ない良好な画質の内視鏡画像による自家蛍光観察を行ない得るように構成した内視鏡装置を示している。
【０３１８】
（第１１の実施の形態）
以下、本発明の第１１の実施の形態の内視鏡装置について説明する。  
図６８は、本発明の第１１の実施の形態の内視鏡装置における内視鏡の先端部の一部（照明光学系）を取り出して示し、内視鏡挿入部の軸方向に沿う面の要部拡大断面図である。図６７は、図６８の内視鏡の先端部近傍において、挿入部の軸方向に対して直交する面の縦断面図である。
【０３１９】
本実施の形態の基本的な構成は、上述の第６の実施の形態と略同様のものである。したがって、上述の第６の実施の形態とは異なる部材のみを説明し、同様の構成については、その図示及び詳細な説明は省略する。
【０３２０】
本実施の形態の内視鏡装置における内視鏡の先端部３０８Ｄには、図６７に示すように二つの照明光学系３５２ａ，３５２ｂと、撮像系の対物光学系３２８Ｄと、が配設されており、チャンネル３３０Ｄが開口している。
【０３２１】
二つの照明光学系のうちの一方は自家蛍光観察用の励起光を照射する励起光用照明光学系３５２ａであり、他方は通常観察用の照明光を照射する通常光照明光学系３５２ｂである。
【０３２２】
このうち励起光用照明光学系３５２ａ内には、同照明光学系３５２ａを構成する複数の光学レンズと同軸上に励起光フィルタ３５４が配設されている。この励起光用照明光学系３５２ａの後方には、ライトガイドファイバー束３５３の端面が対向するように配設されている。
【０３２３】
このライトガイドファイバー束３５３は、挿入部及び操作部を介してユニバーサルコードを経て光源装置（特に図示せず。図６０参照）にまで到達している。
【０３２４】
そして、光源装置側の制御によって、例えば自家蛍光観察を行なう際には、その動作モードに切り換える操作に連動して、励起光用照明光学系３５２ａ側から自家蛍光を遮断した励起光のみの照明光だけが被写体に向けて照射されるようになる一方、通常観察を行なう際には、その動作モードに切り換える操作に連動して、通常観察用照明光学系３５２ｂ側からの照明光のみが被写体に向けて照射されるようになっている。
【０３２５】
なお、光源の切替は、例えば二つの照明光学系３５２ａ，３５２ｂのいずれに照明光を通すか否かの切換機構を操作部３０３の側に設けたり、先端部３０８に液晶シャッター等を設けたりすることで実現し得る。
【０３２６】
その他の構成は、上述の第６の実施の形態と略同様である。
【０３２７】
以上説明したように本実施の形態によれば、二つの照明光学系のうちの一方に励起光フィルタ３５４を備えて構成し、観察モードに応じて対応する照明光学系を用いた照明光の照射を行なうようにすることで、一つの撮像素子及び撮像ユニットを有する内視鏡であっても、自家蛍光観察を含む複数の観察モードを選択的に実行することができる。
【０３２８】
また、ライトガイドファイバー束３５３から生じる自家蛍光を励起光フィルタ３５４で遮断した後の励起光のみの照明光を被写体に向けて照射することになるので、自家蛍光観察時において良好な画像を得ることができる。
【０３２９】
以上の発明によれば、通常観察のほかに自家蛍光観察や狭帯域光観察等、複数の観察モードに対応した内視鏡装置であって、挿入部のさらなる細径化を実現することができる内視鏡装置を提供することができる。
【０３３０】
前記光源装置から供給された照明光を前記内視鏡に伝送するライトガイドファイバー束と、
前記ライトガイドファイバー束の先端側から出射される光束を集光し被写体に向けて照射する照明光学系と、
前記ライトガイドファイバー束の先端側と前記照明光学系との間にあって、かつ当該照明光学系の光軸上に配置され、ライトガイドファイバー束を透過した光束のうち励起光のみを透過させる光学性能を有する励起光フィルタと、
を具備することを特徴とする付記項１に記載の内視鏡装置。
【０３３１】
以上の各実施の形態に記載した発明は、その実施の形態、及び変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【０３３２】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【０３３３】
また、これら内視鏡装置には、以下の付記項に記載する特徴を有する。
【０３３４】
［付記項１］
体腔内の被写体の自家蛍光を撮像する撮像素子を含む撮像ユニットを有する内視鏡と、
前記内視鏡に対して少なくとも励起光による照明光を供給する光源装置と、
被写体の撮像信号を信号処理して内視鏡画像を生成するビデオプロセッサと、
を少なくとも具備し、
前記撮像素子は、前記内視鏡の操作部の内部に配設されていることを特徴とする内視鏡装置。
【０３３５】
［付記項２］
前記撮像ユニットは、複数の光学レンズからなる撮像光学系と前記撮像素子とからなり、
前記撮像光学系の光軸上には励起光を遮断する励起光カットフィルタが配設されていることを特徴とする付記項１に記載の内視鏡装置。
【０３３６】
［付記項３］
前記内視鏡の先端部に設けられ、被写体画像を形成する対物光学系の光軸上に、励起光を遮断する励起光カットフィルタが配設されていることを特徴とする付記項１に記載の内視鏡装置。
【０３３７】
［付記項４］
前記励起光カットフィルタは、前記撮像光学系のアフォーカル部に配設されていることを特徴とする付記項２に記載の内視鏡装置。
【０３３８】
［付記項５］
前記励起光カットフィルタは、前記対物光学系の表面に施され励起光を遮断する特性を有する薄膜コーティングにより形成されていることを特徴とする付記項３に記載の内視鏡装置。
【０３３９】
［付記項６］
前記励起光カットフィルタは、前記撮像光学系の光軸上と、前記内視鏡の先端部に設けられ被写体画像を形成する対物光学系の光軸上とのいずれにも配設されていることを特徴とする付記項１に記載の内視鏡装置
［付記項７］
前記励起光カットフィルタは、前記撮像光学系の光軸上に配置される位置と、前記撮像光学系を通過する光束から完全に退避する位置との間で移動自在に配設されていることを特徴とする付記項１に記載の内視鏡装置。
【０３４０】
［付記項８］
前記内視鏡の先端部には、さらに、第２の撮像素子及び第２の撮像ユニットを備えてなることを特徴とする付記項１に記載の内視鏡装置。
【０３４１】
［付記項９］
【符号の説明】
【０３４２】
１・・・内視鏡装置
２・・・内視鏡
１５・・・先端硬性部
２９・・・照明光学系
３１・・・対物レンズ群
３２ａ・・・対物レンズ枠
３２・・・対物光学ユニット
３３・・・撮像素子パッケージ
３４ａ・・・撮像素子枠
３４・・・撮像装置
３５・・・複合信号ケーブル
４１・・・撮像素子
４１ａ・・・受光部
４２・・・カバーガラス
４４ａ，４４ｂ・・・回路基板
４８ａ，４８ｂ・・・電子部品
４９ｂ・・・映像信号ケーブル接続部
４９ａ・・・駆動信号ケーブル接続部
４９ｃ・・・総合シールド接続部
５３・・・撮像素子リード線
１０８ｂ・・・映像信号用同軸線
１０８ａ・・・駆動信号用同軸線
１０９ａ・・・内部導体
１１２ａ，１１２ｂ・・・外部導体
１１４ａ・・・駆動信号回路用グランド用単純線
１１４ｂ・・・映像出力回路用グランド用単純線
１１４ｃ・・・電源用単純線
１１５ａ，１１５ｂ・・・外部導体
２００・・・電源ケーブル接続部
２０１ｂ・・・映像出力回路用グランド信号線接続部
２０１ａ・・・駆動回路用グランド信号線接続部
２０２ａ・・・駆動信号用外部導体結束部
２０２ｂ・・・映像信号回路用外部導体結束部
２０５・・・積層基板
２１２・・・電子部品
【図１】
0005467122.tif 000002
【図２】
0005467122.tif 000003
【図３】
0005467122.tif 000004
【図４】
0005467122.tif 000005
【図５】
0005467122.tif 000006
【図６】
0005467122.tif 000007
【図７】
0005467122.tif 000008
【図８】
0005467122.tif 000009
【図９】
0005467122.tif 000010
【図１０】
0005467122.tif 000011
【図１１】
0005467122.tif 000012
【図１２】
0005467122.tif 000013
【図１３】
0005467122.tif 000014
【図１４】
0005467122.tif 000015
【図１５】
0005467122.tif 000016
【図１６】
0005467122.tif 000017
【図１７】
0005467122.tif 000018
【図１８】
0005467122.tif 000019
【図１９】
0005467122.tif 000020
【図２０】
0005467122.tif 000021
【図２１】
0005467122.tif 000022
【図２２】
0005467122.tif 000023
【図２３】
0005467122.tif 000024
【図２４】
0005467122.tif 000025
【図２５】
0005467122.tif 000026
【図２６】
0005467122.tif 000027
【図２７】
0005467122.tif 000028
【図２８】
0005467122.tif 000029
【図２９】
0005467122.tif 000030
【図３０】
0005467122.tif 000031
【図３１】
0005467122.tif 000032
【図３２】
0005467122.tif 000033
【図３３】
0005467122.tif 000034
【図３４】
0005467122.tif 000035
【図３５】
0005467122.tif 000036
【図３６】
0005467122.tif 000037
【図３７】
0005467122.tif 000038
【図３８】
0005467122.tif 000039
【図３９】
0005467122.tif 000040
【図４０】
0005467122.tif 000041
【図４１】
0005467122.tif 000042
【図４２】
0005467122.tif 000043
【図４３】
0005467122.tif 000044
【図４４】
0005467122.tif 000045
【図４５】
0005467122.tif 000046
【図４６】
0005467122.tif 000047
【図４７】
0005467122.tif 000048
【図４８】
0005467122.tif 000049
【図４９】
0005467122.tif 000050
【図５０】
0005467122.tif 000051
【図５１】
0005467122.tif 000052
【図５２】
0005467122.tif 000053
【図５３】
0005467122.tif 000054
【図５４】
0005467122.tif 000055
【図５５】
0005467122.tif 000056
【図５６】
0005467122.tif 000057
【図５７】
0005467122.tif 000058
【図５８】
0005467122.tif 000059
【図５９】
0005467122.tif 000060
【図６０】
0005467122.tif 000061
【図６１】
0005467122.tif 000062
【図６２】
0005467122.tif 000063
【図６３】
0005467122.tif 000064
【図６４】
0005467122.tif 000065
【図６５】
0005467122.tif 000066
【図６６】
0005467122.tif 000067
【図６７】
0005467122.tif 000068
【図６８】
0005467122.tif 000069
【図６９】
0005467122.tif 000070